(57)【特許請求の範囲】
【請求項１】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、
通信設備を、センターサーバと通信を通じて通信設備の運用状態について情報を遣り取り可能に接続して構成し、
センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させることを特徴とするネットワークの作業管理システム。
【請求項２】
センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、
作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、
これらデータベースに格納された通信設備の状態情報と回線の状態情報とのうち少なくともいずれか一方に基づいてシステム停止の有無を判定することを特徴とする請求項１に記載のネットワークの作業管理システム。
【請求項３】
センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、
作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させることを特徴とする請求項１または２に記載のネットワークの作業管理システム。
【請求項４】
センターサーバに作業計画が入力されると、データベースに格納された通信設備の情報に基づいて、作業対象の通信設備の回線に関連する機器または機器のポート部のうち少なくともいずれか１の候補を抽出し、抽出された候補を作業を担当する作業担当端末装置に表示させ、作業担当端末装置により表示された候補から作業対象の通信設備が選択されると、この選択情報をセンターサーバに送信し、センターサーバは、この選択された情報に基づいて最終的な作業計画を決定し、その決定された最終的な作業計画を作業担当端末装置に送信して表示させることを特徴とする請求項１ないし３のうちいずれか１に記載のネットワークの作業管理システム。
【請求項５】
センターサーバに作業日時と作業対象の通信設備との情報が入力されると、データベースに格納された通信設備の情報に基づいて、停止予定通信設備の回線に関連する機器を自らの保守担当域に有し当該作業対象の通信設備を管理する端末装置を作業対象設備担当端末装置として抽出し、抽出された作業対象設備担当端末装置に予定された作業日時と作業対象の通信設備との情報を送信し、
当該作業対象設備担当端末装置が、予定された作業日時と作業対象の通信設備との情報を受け取ると、この情報に基づいて、停止予定または停止解除予定の通信設備について予定された作業を承認するか否かの判別を行い、その判別結果をセンターサーバに送信し、
センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させることを特徴とする請求項４に記載のネットワークの作業管理システム。
【請求項６】
作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、
センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、
当該作業対象設備担当端末装置が、作業日時の情報と作業対象として決定された機器または機器のポート部の情報とを受け取ると、これら情報を表示して予定された作業を承認するか否かの入力を求め、オペレータにより入力が行われるとその入力結果をセンターサーバに送信し、
センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とする請求項５に記載のネットワークの作業管理システム。
【請求項７】
作業計画が予め計画された停止日時と停止設備との情報を含む停止計画であり、この停止計画に対し、停止作業開始前に、実施が決定された停止作業を最終的な停止計画としてデータベースに登録することを特徴とする請求項６に記載のネットワークの作業管理システム。
【請求項８】
データベースには、停止作業日前に最終的な停止計画を登録するとともに、
センターサーバは、停止作業日の作業開始前に、登録された最終的な停止計画を、停止作業を承認する判別結果を送信した作業対象設備担当端末装置に送信し、
作業対象設備担当端末装置は、センターサーバから登録された最終的な停止計画を受け取ると、登録された停止作業を当日作業として承認するか否かの入力を求め、入力が行われるとその入力結果をセンターサーバに送信し、
センターサーバは、作業対象設備担当端末装置から当日の停止作業について諾否の入力結果を受け取ると、この入力結果に基づいて登録された最終的な停止計画実施について開始の可否を作業担当端末装置に送信して表示させることを特徴とする請求項７に記載のネットワークの作業管理システム。
【請求項９】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、
通信設備は、インターネットプロトコルを有し、センターサーバからの指令に基づいて、通信設備の状態の情報をセンターサーバに送信する通信設備状態情報送信手段を備え、
データベースは、センターサーバにより設定され作業日時と作業対象の通信設備の情報を含む停止作業計画の情報を格納して構成される作業計画データベースと、
作業対象の通信設備から通信設備の設備運用状態の情報が送られてくると、その設備運用状態の情報を格納して構成される設備運用状態管理データベースと、
作業対象の通信設備から通信設備の回線状態の情報が送られてくると、その回線状態の情報を格納して構成される回線状態管理データベースとを備え、
センターサーバは、停止作業の当日、作業担当端末装置から当該停止作業開始の所定時間前に作業開始の通知を受け取ると、作業計画データベースから設定された停止計画情報を取り出し、作業開始情報とこの停止計画情報を外部に出力する当日作業計画管理手段と、  
当日作業計画管理手段から停止計画情報を受け取ると、当該作業対象の通信設備の情報に基づいて当該作業対象の通信設備に対し設備運用状況の確認を要求し、当該作業対象の通信設備から設備運用状況の回答を得ると、設備運用状態管理データベースにその情報を格納するとともに作業担当端末装置に送信して表示させる設備運用状態管理手段と、
当日作業計画管理手段から停止計画情報を受け取ると、当該作業対象の通信設備の情報に基づいて当該作業対象の通信設備に対し回線状況の確認を要求し、当該作業対象の通信設備から回線状況の回答を得ると、回線状態管理データベースにその情報を格納するとともに作業担当端末装置に送信して表示させる回線状態管理手段と、
当日作業計画管理手段から作業開始情報を受け取ると、設備運用状態管理データベースと回線状態管理データベースとから設備運用状態の情報と回線運用状態の情報とを求め、これら設備運用状態の情報と回線運用状態の情報とを外部に出力するシステム停止管理手段と、
システム停止管理手段から設備運用状態の情報と回線運用状態の情報とのうち少なくともいずれか一方を受け取ると、当該停止作業によりネットワークのシステム停止があるか否かの判定を行い、このシステム停止判定の結果を作業担当端末装置に送信して表示させるシステム停止判定手段とを備え、
当日作業計画管理手段は、作業担当端末装置から作業開始の通知を受け取ると、設備運用状態管理手段と回線状態管理手段とにより当該作業対象の通信設備から設備運用状態の情報と回線運用状態の情報とを設備運用状態管理データベースと回線状態管理データベースとにそれぞれ格納させ、システム停止管理手段がシステム停止判定手段にこれら格納された設備運用状態の情報と回線運用状態の情報とを送出すると、システム停止判定手段が当該停止作業によりネットワークのシステム停止があるか否かの判定を行い、このシステム停止判定の結果を作業担当端末装置に送信して表示させるとともに、
当日作業計画管理手段は、作業担当端末装置からの求めに応じて設備運用状態管理手段を通じて設備運用状態の情報を、回線状態管理手段を通じて回線運用状態の情報をそれぞれ作業担当端末装置に送信して表示させることを特徴とするネットワークの作業管理システム。
【請求項１０】
センターサーバは、作業担当端末装置から作業対象の通信設備に関して通信設備の設定について照会要求があると、当該作業対象の通信設備に対して通信設備の設定状況を回答するよう求め、当該作業対象の通信設備から受け取った回答を照会要求のあった作業担当端末装置に送信して表示させる設備設定管理手段と、
作業担当端末装置から作業対象の通信設備を経由する始端設備情報と終端設備情報とに基づいて作業対象の通信設備に関して経路の照会要求があると、当該作業対象の通信設備に対して経路の状況を回答するよう求め、当該作業対象の通信設備から受け取った回答を照会要求のあった作業担当端末装置に送信して表示させる経路確認手段とを備えていることを特徴とする請求項９に記載のネットワークの作業管理システム。
【請求項１１】
センターサーバは、制御コマンドを生成する文法が格納された制御コマンド文法データベースと、外部から入力される指令に基づいて制御コマンド文法データベースにより通信設備の状態の情報を要求する通信設備状態情報要求コマンドを生成し、この通信設備状態情報要求コマンドを該当する通信設備に送信する制御コマンド生成手段とを備え、
センターサーバは、作業担当端末装置から通信設備の運用状態を確認するよう求める照会要求を受け取ると、当日作業計画管理手段から作業計画データベースにより得られた当該通信設備の情報に基づいて設備運用状態管理手段を通じて制御コマンド生成手段に当該通信設備の運用状態情報を回答するよう当該通信設備に求めるコマンドを生成するよう要求し、制御コマンド生成手段は制御コマンド文法データベースに格納された制御コマンドを生成する文法に基づいて当該通信設備の運用状態を確認して回答するよう求めるコマンドを生成し、このコマンドを対象となる当該通信設備に投入し、当該対象の通信設備がこのコマンドに対する回答結果をセンターサーバに送出すると、設備運用状態管理手段はこの回答結果を設備運用状態管理データベースに格納するとともに、照会要求のあった作業担当端末装置に送信して表示させ、
作業担当端末装置から回線状態を確認するよう求める照会要求を受け取ると、当日作業計画管理手段から作業計画データベースにより得られた当該回線の情報に基づいて回線状態管理手段を通じて制御コマンド生成手段に当該回線の状態情報を回答するよう対象となる通信設備に求めるコマンドを生成するよう要求し、制御コマンド生成手段は制御コマンド文法データベースに格納された制御コマンドを生成する文法に基づいて当該回線の状態を確認して回答するよう求めるコマンドを生成し、このコマンドを対象となる当該通信設備に投入し、当該対象の通信設備がこのコマンドに対する回答結果をセンターサーバに送出すると、回線状態管理手段はこの回答結果を回線状態管理データベースに格納するとともに、照会要求のあった作業担当端末装置に送信して表示させることを特徴とする請求項９または１０に記載のネットワークの作業管理システム。
【請求項１２】
データベースには、網構成および局内構成を含む物理回線構成情報と機器および機器内の部位情報を含む装置構成情報と論理回線名および論理回線構成を含む論理回線構成情報とが格納されるよう構成され、
センターサーバは、作業担当端末装置から通信設備の停止または停止解除の作業計画が入力されるとこの作業計画を外部に出力し、作業担当端末装置から作業計画の作業対象の通信設備について選択情報が入力されるとこの選択情報に基づいて作業計画を決定する作業計画管理手段と、
作業計画管理手段から作業対象の通信設備の情報を受け取ると、受け取った作業対象の通信設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象の通信設備の情報とを外部に出力する物理網・論理網・局内構成図描画処理手段と、
物理網・論理網・局内構成図描画処理手段から受け取った各構成情報と作業対象の通信設備の情報とに基づいて、作業対象の通信設備の回線に関連する機器または機器のポート部のうち少なくともいずれか１についての候補を抽出し、抽出された候補情報を物理網・論理網・局内構成図描画処理手段に出力する作業対象候補抽出手段とを備え、
物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象の通信設備が選択されると、選択情報を作業計画管理手段に送信し、作業計画管理手段は選択情報に基づいて最終的な作業計画を決定することを特徴とする請求項１１に記載のネットワークの作業管理システム。
【請求項１３】
データベースには、各保守担当域の通信設備に関連付けされた端末装置の情報が格納され、
センターサーバは、作業担当端末装置から通信設備の停止または停止解除の作業計画が入力されると、外部からの承認情報に基づいてこの作業計画を決定する作業計画管理手段と、
作業担当端末装置から作業対象の通信設備について機器または機器のポート部のうち少なくともいずれか１を選択する選択情報が入力されると、機器または機器のポート部のうち少なくともいずれか１を決定し決定情報を外部に出力する作業対象設備決定手段と、
作業対象設備決定手段から決定情報を受け取ると、この決定情報に基づき、データベースからこの決定された作業対象の通信設備が属する保守担当域を所管する端末装置を抽出し、この作業対象の通信設備を担当する端末装置を特定する情報を外部に出力する作業対象設備担当端末装置抽出手段と、
作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、
作業計画管理手段は、承認処理手段から作業について諾否の判別結果を受け取ると、この判別結果に基づいて予定された作業実施の可否を決定するとともに、作業実施の可否の決定を作業担当端末装置に送信して表示させることを特徴とする請求項１２に記載のネットワークの作業管理システム。
【請求項１４】
データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、
センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、
作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、
作業対象設備決定手段は、作業担当端末装置からこの選択情報を受け取ると、選択情報に基づいて機器または機器のポート部のうち少なくともいずれか１を決定して決定情報を出力し、
作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、
承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、
当該作業対象設備担当端末装置は、作業日時の情報と決定情報とを受け取ると、これら情報に基づいて、予定された作業の実施を承認するか否かの判別を行い、その判別結果をセンターサーバに送信し、
作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させることを特徴とする請求項１３に記載のネットワークの作業管理システム。
【請求項１５】
作業計画が予め計画された停止日時と停止設備との情報を含む停止計画であり、
作業計画管理手段は、停止作業日前に、データベースに停止計画に対し実施が決定された停止作業を最終的な停止計画として登録し、
作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、
当日作業計画管理手段を、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させるよう構成し、
センターサーバには、当日作業計画手段から受け取った作業対象設備担当端末装置の特定情報に基づいて、当日の停止作業の対象となる作業対象設備担当端末装置に、最終的な停止計画情報に含まれる停止日時情報と停止対象の通信設備情報とを送信し、当該作業対象設備担当端末装置から停止作業を当日作業として承認するか否かの判別結果を受け取ると、その判別結果を当日作業計画管理手段に出力する当日作業承認処理手段を設けたことを特徴とする請求項１４に記載のネットワークの作業管理システム。
【請求項１６】
停止作業の対象となる通信設備はインターネットプロトコルを有し、ポート部は上記通信設備のＩＰポートであって、
当該通信設備は、ポートを開閉制御する設備側制御手段と、設備側制御手段により制御され実行された結果をセンターサーバに送信する制御情報送信手段とを備え、
センターサーバは、通信により通信設備側と情報の遣り取りを行うとともに、作業担当端末装置から通信設備のポートを停止または停止解除を要求する指令を受け取ると、当該通信設備またはポートの情報に基づいて設備側制御手段に当該通信設備のポートの停止または停止解除を実行させ、設備側制御手段により制御され実行された結果を制御情報送信手段から受け取ると、受け取った実行結果を作業担当端末装置に送信して表示させる監視制御システムを備えていることを特徴とする請求項１５に記載のネットワークの作業管理システム。
【請求項１７】
監視制御システムは、当日作業計画管理手段と当日作業承認処理手段と制御コマンド文法データベースと制御コマンド生成手段とを備えるとともに、
制御コマンド生成手段は、外部から入力される指令に基づいて制御コマンド文法データベースにより該当する機器のポートに対する停止または停止解除要求コマンドを生成し、これら停止または停止解除要求コマンドを該当する通信設備に送信するよう構成され、
センターサーバは、当日作業計画管理手段が、作業担当端末装置から選択された機器またはポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されることを特徴とする請求項１６に記載のネットワークの作業管理システム。
【請求項１８】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するネットワークの作業管理方法であって、
通信設備をセンターサーバと通信を通じて通信設備の運用状態について情報を遣り取り可能に接続して構成し、
センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させることを特徴とするネットワークの作業管理方法。
【請求項１９】
センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、
作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、
これらデータベースに格納された通信設備の状態情報と回線の状態情報とのうち少なくともいずれか一方に基づいてシステム停止の有無を判定することを特徴とする請求項１８に記載のネットワークの作業管理方法。
【請求項２０】
センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、
作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させることを特徴とする請求項１８または１９に記載のネットワークの作業管理方法。
【発明の詳細な説明】
【技術分野】
【０００１】
本発明は、通信ネットワークの作業管理システムとその管理方法に関し、特に、通信ケーブルおよび通信ネットワークにおけるコンピュータによるネットワークの作業管理システムとその管理方法に関するものである。
【背景技術】
【０００２】
一般に、通信ネットワークの通信設備において予め決められた作業計画に基づいて停止作業を行う場合、事前に運用管理システムに予定停止計画（停止日時、停止対象物（例えば、回線と機器））を入力するようになっている。この予定停止計画に従って実際に停止作業を行う際、作業がインターネットプロトコル機器（以下、ＩＰ機器と称す。）のポート閉塞またはポート閉塞解除を伴う場合、閉塞または閉塞解除の対象となる機器（例えば、ルータ、スイッチ、伝送装置等）と対象となるポートとを、実作業前に予め紙による資料の中から人力による手作業で選び出し、ピックアップしておく。そして、ピックアップされた機器について、作業日の前に、停止日時、停止対象設備を含む予定停止計画を予め運用管理システムに登録するようにしている。この予定停止作業が、作業予定者の保守担当域と異なる担当外の保守担当域で行われる場合、作業予定者は、当該予定停止作業が行われる地域を担当する保守担当者に、予め、予定停止計画を送り、作業実行の承認を得ておく必要がある。承認を得た予定停止計画は最終的に決定処理を行い、監視制御システムに送られることで当日の作業管理を行う。また、作業予定者は作業当日も作業開始前に作業実行の確認の連絡を行い、監視制御システムにて作業開始の登録を行う。実作業終了後は、作業終了の連絡を行って閉塞解除を依頼し、回線状態を確認した後、監視制御システムに作業終了の登録を行うようになっている。
【０００３】
従来、通信ネットワークを管理運用するシステムとして、予め伝送媒体を含む回線・設備情報がデータ化された設備系データを格納したデータベースに基づいて、この設備系データに連繋させて画面に表示された回線に対し、所望の始端および終端装置の区間の伝送媒体を伝搬路として指定し、指定された伝搬路上の回線を、始・終端側の一方から他方に向かって順次隣接する装置間の単一伝送媒体ごとに構成回線として定義付けして回線登録し、回線登録された構成回線に基づいて回線を管理する回線管理システムが提案されている。従来の回線管理システムでは、複数の装置を伝送媒体でループ状に形成したループ回線を含み、かつ、このループ回線の伝送媒体が存在する伝搬路に対し、ループ回線自体を上記単一の伝送媒体に準じて定義付けして回線構成するようにしている。このため、始端装置および終端装置が変わる毎に、回線の繋がりが多様に変化するループ回線区間の伝送媒体を回線構成に含める必要がなく、指定された伝搬路上にいくらループ回線が存在しようとも、ループ回線が単一の伝送媒体と見なされるので、伝搬路上には単一の通信経路が形成され、ループ回線を含めた回線構成を迅速かつ容易に行うことができ、ループ回線の有無やループ回線の多少に拘わらず回線構成を単純化して回線管理を実現することができるようになっている（特許文献１参照）。
【先行技術文献】
【特許文献】
【０００４】
【特許文献１】特開２００５−６５０４６号公報（第９−１２頁、図４、５）
【発明の概要】
【発明が解決しようとする課題】
【０００５】
しかしながら、従来のシステムでは、予定され登録された停止作業計画に基づいて、作業当日、実作業を開始すると、設備や回線などの通信設備については、どの保守担当域のどの通信設備が停止するか把握できるものの、実作業時、作業対象通信設備の停止に伴い、通信ネットワークの健全性を確認することができないという問題がある。つまり、実作業を予定している何日か前に、予定された停止作業計画が他の保守担当域の承認を得て登録されたときには、その時点における通信設備の状態に基づいて通信ネットワークの健全性を、すなわち、システム停止の有無を確認することができるものの、時間の経過に伴い設備や回線等の通信設備の状態に変化があると、実作業直前における通信ネットワークの健全性を把握することができないという問題がある。このため、計画時点でシステム停止の可能性があれば、システム停止を避けるための作業計画も準備しなければならず、作業計画決定までに手間がかかるという問題がある。
【０００６】
本発明は、上記課題を解決するためになされたもので、簡素な構成でしかも作業直前に正確かつ迅速にシステム停止の有無を判定し、判定に基づいてリアルタイムでネットワークの健全性を監視し、健全性を確認した上で実際の停止作業にとりかかることができるネットワークの作業管理システムとその管理方法を提供することを目的とするものである。
【課題を解決するための手段】
【０００７】
本発明の請求項１に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備を、センターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させることを特徴とするものである。
【０００８】
本発明の請求項１に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備を、センターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させるようにしたことにより、作業開始前に、最新の通信設備の状態に基づいてシステム停止の可能性の有無を把握することができ、停止作業によりネットワークにシステム停止が発生するのを回避することができる。
【０００９】
本発明の請求項２に係るネットワークの作業管理システムは、センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、これらデータベースに格納された通信設備の状態情報と回線の状態情報とのうち少なくともいずれか一方に基づいてシステム停止の有無を判定することを特徴とするものである。
【００１０】
本発明の請求項２に係るネットワークの作業管理システムでは、センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、これらデータベースに格納された通信設備の状態情報と回線の状態情報とのうち少なくともいずれか一方に基づいてシステム停止の有無を判定するようにしたことにより、システム停止の判定を設備の状態と回線の状態とのうち少なくともいずれか１に基づいて行うので、判定の精度が向上する。また、システム停止の可能性がある場合、作業担当端末装置側で設備の状態や回線の状態を把握して、ネットワークの健全性を把握することができ、オペレータはネットワークの健全性を監視し、健全性を確認した上で、作業を行うことができる。
【００１１】
本発明の請求項３に係るネットワークの作業管理システムは、センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させることを特徴とするものである。
【００１２】
本発明の請求項３に係るネットワークの作業管理システムでは、センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させるようにしたことにより、システム停止の可能性がある場合、作業担当端末装置側で設備の設定状態や経路の状態を把握して、ネットワークの健全性を把握することができ、オペレータはネットワークの健全性をより細かく監視することができる。
【００１３】
本発明の請求項４に係るネットワークの作業管理システムは、センターサーバに作業計画が入力されると、データベースに格納された通信設備の情報に基づいて、作業対象の通信設備の回線に関連する機器または機器のポート部のうち少なくともいずれか１の候補を抽出し、抽出された候補を作業を担当する作業担当端末装置に表示させ、作業担当端末装置により表示された候補から作業対象の通信設備が選択されると、この選択情報をセンターサーバに送信し、センターサーバは、この選択された情報に基づいて最終的な作業計画を決定し、その決定された最終的な作業計画を作業担当端末装置に送信して表示させることを特徴とするものである。
【００１４】
本発明の請求項４に係るネットワークの作業管理システムでは、センターサーバに作業計画が入力されると、データベースに格納された通信設備の情報に基づいて、作業対象の通信設備の回線に関連する機器または機器のポート部のうち少なくともいずれか１の候補を抽出し、抽出された候補を作業を担当する作業担当端末装置に表示させ、作業担当端末装置により表示された候補から作業対象の通信設備が選択されると、この選択情報をセンターサーバに送信し、センターサーバは、この選択された情報に基づいて最終的な作業計画を決定し、その決定された最終的な作業計画を作業担当端末装置に送信して表示させるようにしたことにより、人手を介さず停止対象とすべき通信設備の候補が表示されるので、検討する時間を短縮することができ、停止対象とすべき通信設備を決定する作業が迅速化される。
【００１５】
本発明の請求項５に係るネットワークの作業管理システムは、センターサーバに作業日時と作業対象の通信設備との情報が入力されると、データベースに格納された通信設備の情報に基づいて、停止予定通信設備の回線に関連する機器を自らの保守担当域に有し当該作業対象の通信設備を管理する端末装置を作業対象設備担当端末装置として抽出し、抽出された作業対象設備担当端末装置に予定された作業日時と作業対象の通信設備との情報を送信し、当該作業対象設備担当端末装置が、予定された作業日時と作業対象の通信設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させることを特徴とするものである。
【００１６】
本発明の請求項５に係るネットワークの作業管理システムでは、センターサーバに作業日時と作業対象の通信設備との情報が入力されると、データベースに格納された通信設備の情報に基づいて、停止予定通信設備の回線に関連する機器を自らの保守担当域に有し当該作業対象の通信設備を管理する端末装置を作業対象設備担当端末装置として抽出し、抽出された作業対象設備担当端末装置に予定された作業日時と作業対象の通信設備との情報を送信し、当該作業対象設備担当端末装置が、予定された作業日時と作業対象の通信設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるようにしたことにより、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の調整が自動化される。
【００１７】
本発明の請求項６に係るネットワークの作業管理システムは、作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、オペレータにより入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とするものである。
【００１８】
本発明の請求項６に係るネットワークの作業管理システムでは、作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、オペレータにより入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたことにより、停止対象とすべき通信設備を検討する時間を短縮することができ、停止対象とすべき通信設備を決定する作業が迅速化される。また、作業者側と停止作業対象設備を有する被作業者側との間の調整が自動化される。
【００１９】
本発明の請求項７に係るネットワークの作業管理システムは、作業計画が予め計画された停止日時と停止設備との情報を含む停止計画であり、この停止計画に対し、停止作業開始前に、実施が決定された停止作業を最終的な停止計画としてデータベースに登録することを特徴とするものである。
【００２０】
本発明の請求項７に係るネットワークの作業管理システムでは、作業計画が予め計画された停止日時と停止設備との情報を含む停止計画であり、この停止計画に対し、停止作業開始前に、実施が決定された停止作業を最終的な停止計画としてデータベースに登録するようにしたことにより、停止計画を早めに多数作成することができ、計画作成の時間を有効に利用することができる。
【００２１】
本発明の請求項８に係るネットワークの作業管理システムは、データベースには、停止作業日前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させることを特徴とするものである。
【００２２】
本発明の請求項８に係るネットワークの作業管理システムでは、データベースには、停止作業日前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させるようにしたことにより、最新の通信設備情報に基づいて、停止作業の実施を確認するので、確実性が増す。
【００２３】
本発明の請求項９に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備は、インターネットプロトコルを有し、センターサーバからの指令に基づいて、通信設備の状態の情報をセンターサーバに送信する通信設備状態情報送信手段を備え、データベースは、センターサーバにより設定され作業日時と作業対象の通信設備の情報を含む停止作業計画の情報を格納して構成される作業計画データベースと、作業対象の通信設備から通信設備の設備運用状態の情報が送られてくると、その設備運用状態の情報を格納して構成される設備運用状態管理データベースと、作業対象の通信設備から通信設備の回線状態の情報が送られてくると、その回線状態の情報を格納して構成される回線状態管理データベースとを備え、センターサーバは、停止作業の当日、作業担当端末装置から当該停止作業開始の所定時間前に作業開始の通知を受け取ると、作業計画データベースから設定された停止計画情報を取り出し、作業開始情報とこの停止計画情報を外部に出力する当日作業計画管理手段と、当日作業計画管理手段から停止計画情報を受け取ると、当該作業対象の通信設備の情報に基づいて当該作業対象の通信設備に対し設備運用状況の確認を要求し、当該作業対象の通信設備から設備運用状況の回答を得ると、設備運用状態管理データベースにその情報を格納するとともに作業担当端末装置に送信して表示させる設備運用状態管理手段と、当日作業計画管理手段から停止計画情報を受け取ると、当該作業対象の通信設備の情報に基づいて当該作業対象の通信設備に対し回線状況の確認を要求し、当該作業対象の通信設備から回線状況の回答を得ると、回線状態管理データベースにその情報を格納するとともに作業担当端末装置に送信して表示させる回線状態管理手段と、当日作業計画管理手段から作業開始情報を受け取ると、設備運用状態管理データベースと回線状態管理データベースとから設備運用状態の情報と回線運用状態の情報とを求め、これら設備運用状態の情報と回線運用状態の情報とを外部に出力するシステム停止管理手段と、システム停止管理手段から設備運用状態の情報と回線運用状態の情報とのうち少なくともいずれか一方を受け取ると、当該停止作業によりネットワークのシステム停止があるか否かの判定を行い、このシステム停止判定の結果を作業担当端末装置に送信して表示させるシステム停止判定手段とを備え、当日作業計画管理手段は、作業担当端末装置から作業開始の通知を受け取ると、設備運用状態管理手段と回線状態管理手段とにより当該作業対象の通信設備から設備運用状態の情報と回線運用状態の情報とを設備運用状態管理データベースと回線状態管理データベースとにそれぞれ格納させ、システム停止管理手段がシステム停止判定手段にこれら格納された設備運用状態の情報と回線運用状態の情報とを送出すると、システム停止判定手段が当該停止作業によりネットワークのシステム停止があるか否かの判定を行い、このシステム停止判定の結果を作業担当端末装置に送信して表示させるとともに、当日作業計画管理手段は、作業担当端末装置からの求めに応じて設備運用状態管理手段を通じて設備運用状態の情報を、回線状態管理手段を通じて回線運用状態の情報をそれぞれ作業担当端末装置に送信して表示させることを特徴とするものである。
【００２４】
本発明の請求項９に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備は、インターネットプロトコルを有し、センターサーバからの指令に基づいて、通信設備の状態の情報をセンターサーバに送信する通信設備状態情報送信手段を備え、データベースは、センターサーバにより設定され作業日時と作業対象の通信設備の情報を含む停止作業計画の情報を格納して構成される作業計画データベースと、作業対象の通信設備から通信設備の設備運用状態の情報が送られてくると、その設備運用状態の情報を格納して構成される設備運用状態管理データベースと、作業対象の通信設備から通信設備の回線状態の情報が送られてくると、その回線状態の情報を格納して構成される回線状態管理データベースとを備え、センターサーバは、停止作業の当日、作業担当端末装置から当該停止作業開始の所定時間前に作業開始の通知を受け取ると、作業計画データベースから設定された停止計画情報を取り出し、作業開始情報とこの停止計画情報を外部に出力する当日作業計画管理手段と、当日作業計画管理手段から停止計画情報を受け取ると、当該作業対象の通信設備の情報に基づいて当該作業対象の通信設備に対し設備運用状況の確認を要求し、当該作業対象の通信設備から設備運用状況の回答を得ると、設備運用状態管理データベースにその情報を格納するとともに作業担当端末装置に送信して表示させる設備運用状態管理手段と、当日作業計画管理手段から停止計画情報を受け取ると、当該作業対象の通信設備の情報に基づいて当該作業対象の通信設備に対し回線状況の確認を要求し、当該作業対象の通信設備から回線状況の回答を得ると、回線状態管理データベースにその情報を格納するとともに作業担当端末装置に送信して表示させる回線状態管理手段と、当日作業計画管理手段から作業開始情報を受け取ると、設備運用状態管理データベースと回線状態管理データベースとから設備運用状態の情報と回線運用状態の情報とを求め、これら設備運用状態の情報と回線運用状態の情報とを外部に出力するシステム停止管理手段と、システム停止管理手段から設備運用状態の情報と回線運用状態の情報とのうち少なくともいずれか一方を受け取ると、当該停止作業によりネットワークのシステム停止があるか否かの判定を行い、このシステム停止判定の結果を作業担当端末装置に送信して表示させるシステム停止判定手段とを備え、当日作業計画管理手段は、作業担当端末装置から作業開始の通知を受け取ると、設備運用状態管理手段と回線状態管理手段とにより当該作業対象の通信設備から設備運用状態の情報と回線運用状態の情報とを設備運用状態管理データベースと回線状態管理データベースとにそれぞれ格納させ、システム停止管理手段がシステム停止判定手段にこれら格納された設備運用状態の情報と回線運用状態の情報とを送出すると、システム停止判定手段が当該停止作業によりネットワークのシステム停止があるか否かの判定を行い、このシステム停止判定の結果を作業担当端末装置に送信して表示させるとともに、当日作業計画管理手段は、作業担当端末装置からの求めに応じて設備運用状態管理手段を通じて設備運用状態の情報を、回線状態管理手段を通じて回線運用状態の情報をそれぞれ作業担当端末装置に送信して表示させるようにしたことにより、システム停止の可能性がある場合、作業担当端末装置側で設備の状態や回線の状態を把握して、ネットワークの健全性を把握することができ、オペレータはネットワークの健全性を監視し、健全性を確認した上で、実際の停止作業を開始することができる。
【００２５】
本発明の請求項１０に係るネットワークの作業管理システムは、センターサーバは、作業担当端末装置から作業対象の通信設備に関して通信設備の設定について照会要求があると、当該作業対象の通信設備に対して通信設備の設定状況を回答するよう求め、当該作業対象の通信設備から受け取った回答を照会要求のあった作業担当端末装置に送信して表示させる設備設定管理手段と、作業担当端末装置から作業対象の通信設備を経由する始端設備情報と終端設備情報とに基づいて作業対象の通信設備に関して経路の照会要求があると、当該作業対象の通信設備に対して経路の状況を回答するよう求め、当該作業対象の通信設備から受け取った回答を照会要求のあった作業担当端末装置に送信して表示させる経路確認手段とを備えていることを特徴とするものである。
【００２６】
本発明の請求項１０に係るネットワークの作業管理システムでは、センターサーバは、作業担当端末装置から作業対象の通信設備に関して通信設備の設定について照会要求があると、当該作業対象の通信設備に対して通信設備の設定状況を回答するよう求め、当該作業対象の通信設備から受け取った回答を照会要求のあった作業担当端末装置に送信して表示させる設備設定管理手段と、作業担当端末装置から作業対象の通信設備を経由する始端設備情報と終端設備情報とに基づいて作業対象の通信設備に関して経路の照会要求があると、当該作業対象の通信設備に対して経路の状況を回答するよう求め、当該作業対象の通信設備から受け取った回答を照会要求のあった作業担当端末装置に送信して表示させる経路確認手段とを備えたことにより、システム停止の可能性がある場合、作業担当端末装置側で設備の設定状態や経路の状態を把握して、ネットワークの健全性を把握することができ、オペレータはネットワークの健全性をより細かく監視することができる。
【００２７】
本発明の請求項１１に係るネットワークの作業管理システムは、センターサーバは、制御コマンドを生成する文法が格納された制御コマンド文法データベースと、外部から入力される指令に基づいて制御コマンド文法データベースにより通信設備の状態の情報を要求する通信設備状態情報要求コマンドを生成し、この通信設備状態情報要求コマンドを該当する通信設備に送信する制御コマンド生成手段とを備え、センターサーバは、作業担当端末装置から通信設備の運用状態を確認するよう求める照会要求を受け取ると、当日作業計画管理手段から作業計画データベースにより得られた当該通信設備の情報に基づいて設備運用状態管理手段を通じて制御コマンド生成手段に当該通信設備の運用状態情報を回答するよう当該通信設備に求めるコマンドを生成するよう要求し、制御コマンド生成手段は制御コマンド文法データベースに格納された制御コマンドを生成する文法に基づいて当該通信設備の運用状態を確認して回答するよう求めるコマンドを生成し、このコマンドを対象となる当該通信設備に投入し、当該対象の通信設備がこのコマンドに対する回答結果をセンターサーバに送出すると、設備運用状態管理手段はこの回答結果を設備運用状態管理データベースに格納するとともに、照会要求のあった作業担当端末装置に送信して表示させ、作業担当端末装置から回線状態を確認するよう求める照会要求を受け取ると、当日作業計画管理手段から作業計画データベースにより得られた当該回線の情報に基づいて回線状態管理手段を通じて制御コマンド生成手段に当該回線の状態情報を回答するよう対象となる通信設備に求めるコマンドを生成するよう要求し、制御コマンド生成手段は制御コマンド文法データベースに格納された制御コマンドを生成する文法に基づいて当該回線の状態を確認して回答するよう求めるコマンドを生成し、このコマンドを対象となる当該通信設備に投入し、当該対象の通信設備がこのコマンドに対する回答結果をセンターサーバに送出すると、回線状態管理手段はこの回答結果を回線状態管理データベースに格納するとともに、照会要求のあった作業担当端末装置に送信して表示させることを特徴とするものである。
【００２８】
本発明の請求項１１に係るネットワークの作業管理システムでは、センターサーバは、制御コマンドを生成する文法が格納された制御コマンド文法データベースと、外部から入力される指令に基づいて制御コマンド文法データベースにより通信設備の状態の情報を要求する通信設備状態情報要求コマンドを生成し、この通信設備状態情報要求コマンドを該当する通信設備に送信する制御コマンド生成手段とを備え、センターサーバは、作業担当端末装置から通信設備の運用状態を確認するよう求める照会要求を受け取ると、当日作業計画管理手段から作業計画データベースにより得られた当該通信設備の情報に基づいて設備運用状態管理手段を通じて制御コマンド生成手段に当該通信設備の運用状態情報を回答するよう当該通信設備に求めるコマンドを生成するよう要求し、制御コマンド生成手段は制御コマンド文法データベースに格納された制御コマンドを生成する文法に基づいて当該通信設備の運用状態を確認して回答するよう求めるコマンドを生成し、このコマンドを対象となる当該通信設備に投入し、当該対象の通信設備がこのコマンドに対する回答結果をセンターサーバに送出すると、設備運用状態管理手段はこの回答結果を設備運用状態管理データベースに格納するとともに、照会要求のあった作業担当端末装置に送信して表示させ、作業担当端末装置から回線状態を確認するよう求める照会要求を受け取ると、当日作業計画管理手段から作業計画データベースにより得られた当該回線の情報に基づいて回線状態管理手段を通じて制御コマンド生成手段に当該回線の状態情報を回答するよう対象となる通信設備に求めるコマンドを生成するよう要求し、制御コマンド生成手段は制御コマンド文法データベースに格納された制御コマンドを生成する文法に基づいて当該回線の状態を確認して回答するよう求めるコマンドを生成し、このコマンドを対象となる当該通信設備に投入し、当該対象の通信設備がこのコマンドに対する回答結果をセンターサーバに送出すると、回線状態管理手段はこの回答結果を回線状態管理データベースに格納するとともに、照会要求のあった作業担当端末装置に送信して表示させるようにしたことにより、オペレータが作業担当端末装置を操作して通信設備の状態を確認する照会要求をセンターサーバ側に送信するだけで、設備の運用状態、回線状態、設備の設定状態、経路の状態のうち少なくともいずれか１を作業担当端末装置に表示させて知ることができる。
【００２９】
本発明の請求項１２に係るネットワークの作業管理システムは、データベースには、網構成および局内構成を含む物理回線構成情報と機器および機器内の部位情報を含む装置構成情報と論理回線名および論理回線構成を含む論理回線構成情報とが格納されるよう構成され、センターサーバは、作業担当端末装置から通信設備の停止または停止解除の作業計画が入力されるとこの作業計画を外部に出力し、作業担当端末装置から作業計画の作業対象の通信設備について選択情報が入力されるとこの選択情報に基づいて作業計画を決定する作業計画管理手段と、作業計画管理手段から作業対象の通信設備の情報を受け取ると、受け取った作業対象の通信設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象の通信設備の情報とを外部に出力する物理網・論理網・局内構成図描画処理手段と、物理網・論理網・局内構成図描画処理手段から受け取った各構成情報と作業対象の通信設備の情報とに基づいて、作業対象の通信設備の回線に関連する機器または機器のポート部のうち少なくともいずれか１についての候補を抽出し、抽出された候補情報を物理網・論理網・局内構成図描画処理手段に出力する作業対象候補抽出手段とを備え、物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象の通信設備が選択されると、選択情報を作業計画管理手段に送信し、作業計画管理手段は選択情報に基づいて最終的な作業計画を決定することを特徴とするものである。
【００３０】
本発明の請求項１２に係るネットワークの作業管理システムでは、データベースには、網構成および局内構成を含む物理回線構成情報と機器および機器内の部位情報を含む装置構成情報と論理回線名および論理回線構成を含む論理回線構成情報とが格納されるよう構成され、センターサーバは、作業担当端末装置から通信設備の停止または停止解除の作業計画が入力されるとこの作業計画を外部に出力し、作業担当端末装置から作業計画の作業対象の通信設備について選択情報が入力されるとこの選択情報に基づいて作業計画を決定する作業計画管理手段と、作業計画管理手段から作業対象の通信設備の情報を受け取ると、受け取った作業対象の通信設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象の通信設備の情報とを外部に出力する物理網・論理網・局内構成図描画処理手段と、物理網・論理網・局内構成図描画処理手段から受け取った各構成情報と作業対象の通信設備の情報とに基づいて、作業対象の通信設備の回線に関連する機器または機器のポート部のうち少なくともいずれか１についての候補を抽出し、抽出された候補情報を物理網・論理網・局内構成図描画処理手段に出力する作業対象候補抽出手段とを備え、物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象の通信設備が選択されると、選択情報を作業計画管理手段に送信し、作業計画管理手段は選択情報に基づいて最終的な作業計画を決定するようにしたことにより、センターサーバに作業担当端末装置から設備の停止または停止解除の作業計画が入力されると、作業計画管理手段はこの作業計画を仮の作業計画として保持するとともに、作業計画情報を物理網・論理網・局内構成図描画処理手段に出力する。物理網・論理網・局内構成図描画処理手段は、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを作業対象候補抽出手段に出力する。作業対象候補抽出手段は、受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する。物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませて表示させる。作業担当端末装置は、オペレータにより表示された候補情報から作業対象設備が選択されると、選択情報を作業計画管理手段に送信する。作業計画管理手段は、作業計画管理手段は選択情報に基づいて最終的な作業計画を決定する。このため、停止対象とすべき通信設備の候補が関連する図面に含まれて表示されることになり、オペレータは、停止対象とすべき通信設備を決定する作業がし易くなる。
【００３１】
本発明の請求項１３に係るネットワークの作業管理システムは、データベースには、各保守担当域の通信設備に関連付けされた端末装置の情報が格納され、センターサーバは、作業担当端末装置から通信設備の停止または停止解除の作業計画が入力されると、外部からの承認情報に基づいてこの作業計画を決定する作業計画管理手段と、作業担当端末装置から作業対象の通信設備について機器または機器のポート部のうち少なくともいずれか１を選択する選択情報が入力されると、機器または機器のポート部のうち少なくともいずれか１を決定し決定情報を外部に出力する作業対象設備決定手段と、作業対象設備決定手段から決定情報を受け取ると、この決定情報に基づき、データベースからこの決定された作業対象の通信設備が属する保守担当域を所管する端末装置を抽出し、この作業対象の通信設備を担当する端末装置を特定する情報を外部に出力する作業対象設備担当端末装置抽出手段と、作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、作業計画管理手段は、承認処理手段から作業について諾否の判別結果を受け取ると、この判別結果に基づいて予定された作業実施の可否を決定するとともに、作業実施の可否の決定を作業担当端末装置に送信して表示させることを特徴とするものである。
【００３２】
本発明の請求項１３に係るネットワークの作業管理システムでは、データベースには、各保守担当域の通信設備に関連付けされた端末装置の情報が格納され、センターサーバは、作業担当端末装置から通信設備の停止または停止解除の作業計画が入力されると、外部からの承認情報に基づいてこの作業計画を決定する作業計画管理手段と、作業担当端末装置から作業対象の通信設備について機器または機器のポート部のうち少なくともいずれか１を選択する選択情報が入力されると、機器または機器のポート部のうち少なくともいずれか１を決定し決定情報を外部に出力する作業対象設備決定手段と、作業対象設備決定手段から決定情報を受け取ると、この決定情報に基づき、データベースからこの決定された作業対象の通信設備が属する保守担当域を所管する端末装置を抽出し、この作業対象の通信設備を担当する端末装置を特定する情報を外部に出力する作業対象設備担当端末装置抽出手段と、作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、作業計画管理手段は、承認処理手段から作業について諾否の判別結果を受け取ると、この判別結果に基づいて予定された作業実施の可否を決定するとともに、作業実施の可否の決定を作業担当端末装置に送信して表示させるようにしたことにより、センターサーバに作業担当端末装置から作業計画が入力されると、作業計画管理手段は仮の作業計画として保持するとともに、センターサーバに作業担当端末装置から作業対象設備について機器または機器のポート部のうち少なくともいずれか１を選択する選択情報が入力されると、作業対象設備決定手段は機器または機器のポート部のうち少なくともいずれか１を決定し決定情報を作業対象設備担当端末装置抽出手段に出力する。作業対象設備担当端末装置抽出手段は、決定情報に基づき、データベースからこの決定された作業対象設備が属する保守担当域を所管する端末装置を抽出し、この作業対象設備を担当する端末装置を特定する特定情報を承認処理手段に出力する。承認処理手段は、作業対象設備担当端末装置の特定情報を受け取り、この特定情報に基づき、特定された作業対象設備担当端末装置に当該決定情報と作業日時情報とを送信し作業実施の承認要求を行う。作業対象設備担当端末装置は承認処理手段から当該決定情報と作業日時情報と作業実施の承認要求とを受け取ると、オペレータにより作業の実施を承認するか否かを判別し、作業実施承認諾否情報を承認処理手段に送信する。承認処理手段は、作業対象設備担当端末装置から承認諾否情報を受け取ると、作業計画管理手段に出力する。作業計画管理手段は受け取った承認諾否情報に基づいて、作業承諾の情報の場合、仮の作業計画を最終的な作業計画としてデータベースに登録するとともに、作業承諾の情報を作業担当端末装置に送信して表示させ、作業承諾拒否の情報の場合、仮の作業計画をキャンセルし、作業承諾拒否の情報を作業担当端末装置に送信して表示させる。このため、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の停止作業に関する調整が自動化される。
【００３３】
本発明の請求項１４に係るネットワークの作業管理システムは、データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、作業対象設備決定手段は、作業担当端末装置からこの選択情報を受け取ると、選択情報に基づいて機器または機器のポート部のうち少なくともいずれか１を決定して決定情報を出力し、作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、当該作業対象設備担当端末装置は、作業日時の情報と決定情報とを受け取ると、これら情報に基づいて、予定された作業の実施を承認するか否かの判別を行い、その判別結果をセンターサーバに送信し、作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させることを特徴とするものである。
【００３４】
本発明の請求項１４に係るネットワークの作業管理システムでは、データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、作業担当端末装置は、表示された作業対象の通信設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、作業対象設備決定手段は、作業担当端末装置からこの選択情報を受け取ると、選択情報に基づいて機器または機器のポート部のうち少なくともいずれか１を決定して決定情報を出力し、作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、当該作業対象設備担当端末装置は、作業日時の情報と決定情報とを受け取ると、これら情報に基づいて、予定された作業の実施を承認するか否かの判別を行い、その判別結果をセンターサーバに送信し、作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させるようにしたことにより、センターサーバに作業担当端末装置から設備の停止または停止解除の作業計画が入力されると、作業計画管理手段はこの作業計画を第１の仮の作業計画として保持するとともに、作業計画情報を物理網・論理網・局内構成図描画処理手段に出力する。物理網・論理網・局内構成図描画処理手段は、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを作業対象候補抽出手段に出力する。作業対象候補抽出手段は、受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する。物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませて表示させる。作業担当端末装置は、オペレータにより表示された候補情報から作業対象設備が選択されると、選択情報を作業計画管理手段に送信する。作業計画管理手段は作業担当端末装置から選択情報が入力されるとこの選択情報に基づいて第１の仮の作業計画を候補選択による第２の仮の作業計画として決定し、データベースに登録するとともに、決定された第２の仮の作業計画を作業担当端末に表示させる。センターサーバに作業担当端末装置から抽出された候補情報の作業対象設備について機器または機器のポート部のうち少なくともいずれか１を選択する選択情報が入力されると、作業対象設備決定手段は機器または機器のポート部のうち少なくともいずれか１を決定し決定情報を作業対象設備担当端末装置抽出手段に出力する。作業対象設備担当端末装置抽出手段は、決定情報に基づき、データベースからこの決定された作業対象設備が属する保守担当域を所管する端末装置を抽出し、この作業対象設備を担当する端末装置を特定する特定情報を承認処理手段に出力する。承認処理手段は、作業対象設備担当端末装置の特定情報を受け取り、この特定情報に基づき、特定された作業対象設備担当端末装置に当該決定情報と作業日時情報とを送信し作業実施の承認要求を行う。作業対象設備担当端末装置は承認処理手段から当該決定情報と作業日時情報とを受け取ると、オペレータが作業の実施を承認するか否かを判別し、作業実施承認諾否情報を承認処理手段に送信する。承認処理手段は、作業対象設備担当端末装置から承認諾否情報を受け取ると、作業計画管理手段に出力する。作業計画管理手段は受け取った承認諾否情報に基づいて、作業承諾の情報の場合、第２の仮の作業計画を最終的な作業計画としてデータベースに登録するとともに、作業承諾の情報を作業担当端末装置に送信して表示させ、作業承諾拒否の情報の場合、第２の仮の作業計画をキャンセルし、作業承諾拒否の情報を作業担当端末装置に送信して表示させる。このため、オペレータにより半自動で停止作業対象の候補を選択することができ、停止対象とすべき通信設備を検討する時間を短縮することができ、停止対象とすべき通信設備を決定する作業が迅速化される。また、作業者側と停止作業対象設備を有する被作業者側との間の調整が自動化される。作業者側と被作業者側とに停止作業に関する調整の負担がかからなくなる。
【００３５】
本発明の請求項１５に係るネットワークの作業管理システムは、作業計画が予め計画された停止日時と停止設備との情報を含む停止計画であり、作業計画管理手段は、停止作業日前に、データベースに停止計画に対し実施が決定された停止作業を最終的な停止計画として登録し、作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、当日作業計画管理手段を、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させるよう構成し、センターサーバには、当日作業計画手段から受け取った作業対象設備担当端末装置の特定情報に基づいて、当日の停止作業の対象となる作業対象設備担当端末装置に、最終的な停止計画情報に含まれる停止日時情報と停止対象の通信設備情報とを送信し、当該作業対象設備担当端末装置から停止作業を当日作業として承認するか否かの判別結果を受け取ると、その判別結果を当日作業計画管理手段に出力する当日作業承認処理手段を設けたことを特徴とするものである。
【００３６】
本発明の請求項１５に係るネットワークの作業管理システムでは、作業計画が予め計画された停止日時と停止設備との情報を含む停止計画であり、作業計画管理手段は、停止作業日前に、データベースに停止計画に対し実施が決定された停止作業を最終的な停止計画として登録し、作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、当日作業計画管理手段を、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させるよう構成し、センターサーバには、当日作業計画手段から受け取った作業対象設備担当端末装置の特定情報に基づいて、当日の停止作業の対象となる作業対象設備担当端末装置に、最終的な停止計画情報に含まれる停止日時情報と停止対象の通信設備情報とを送信し、当該作業対象設備担当端末装置から停止作業を当日作業として承認するか否かの判別結果を受け取ると、その判別結果を当日作業計画管理手段に出力する当日作業承認処理手段を設けたことにより、最新の通信設備情報に基づいて、停止作業の実施を停止作業当日に改めて確認することができ、確実性が増す。
【００３７】
本発明の請求項１６に係るネットワークの作業管理システムは、停止作業の対象となる通信設備はインターネットプロトコルを有し、ポート部は上記通信設備のＩＰポートであって、当該通信設備は、ポートを開閉制御する設備側制御手段と、設備側制御手段により制御され実行された結果をセンターサーバに送信する制御情報送信手段とを備え、センターサーバは、通信により通信設備側と情報の遣り取りを行うとともに、作業担当端末装置から通信設備のポートを停止または停止解除を要求する指令を受け取ると、当該通信設備またはポートの情報に基づいて設備側制御手段に当該通信設備のポートの停止または停止解除を実行させ、設備側制御手段により制御され実行された結果を制御情報送信手段から受け取ると、受け取った実行結果を作業担当端末装置に送信して表示させる監視制御システムを備えていることを特徴とするものである。
【００３８】
本発明の請求項１６に係るネットワークの作業管理システムでは、停止作業の対象となる通信設備はインターネットプロトコルを有し、ポート部は上記通信設備のＩＰポートであって、当該通信設備は、ポートを開閉制御する設備側制御手段と、設備側制御手段により制御され実行された結果をセンターサーバに送信する制御情報送信手段とを備え、センターサーバは、通信により通信設備側と情報の遣り取りを行うとともに、作業担当端末装置から通信設備のポートを停止または停止解除を要求する指令を受け取ると、当該通信設備またはポートの情報に基づいて設備側制御手段に当該通信設備のポートの停止または停止解除を実行させ、設備側制御手段により制御され実行された結果を制御情報送信手段から受け取ると、受け取った実行結果を作業担当端末装置に送信して表示させる監視制御システムを備えていることにより、オペレータが作業担当端末装置を操作するだけで、作業対象の機器のポートを開閉する制御が行われ、制御の実行結果も確認することができる。
【００３９】
本発明の請求項１７に係るネットワークの作業管理システムは、監視制御システムは、当日作業計画管理手段と当日作業承認処理手段と制御コマンド文法データベースと制御コマンド生成手段とを備えるとともに、制御コマンド生成手段は、外部から入力される指令に基づいて制御コマンド文法データベースにより該当する機器のポートに対する停止または停止解除要求コマンドを生成し、これら停止または停止解除要求コマンドを該当する通信設備に送信するよう構成され、センターサーバは、当日作業計画管理手段が、作業担当端末装置から選択された機器のポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されることを特徴とするものである。
【００４０】
本発明の請求項１７に係るネットワークの作業管理システムでは、監視制御システムは、当日作業計画管理手段と当日作業承認処理手段と制御コマンド文法データベースと制御コマンド生成手段とを備えるとともに、制御コマンド生成手段は、外部から入力される指令に基づいて制御コマンド文法データベースにより該当する機器のポートに対する停止または停止解除要求コマンドを生成し、これら停止または停止解除要求コマンドを該当する通信設備に送信するよう構成され、センターサーバは、当日作業計画管理手段が、作業担当端末装置から選択された機器のポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されるようにしたことにより、オペレータは作業担当端末装置を通じて、選択された機器のポートについて停止または停止解除の制御を実行し、実行されたかどうかの確認をすることができる。このため、作業を確実かつ迅速に行うことができ、作業ミスの発生を防止することができる。
【００４１】
本発明の請求項１８に係るネットワークの作業管理方法は、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するネットワークの作業管理方法であって、通信設備をセンターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させることを特徴とするものである。
【００４２】
本発明の請求項１８に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するネットワークの作業管理方法であって、通信設備をセンターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させるようにしたことにより、作業開始前に、最新の通信設備の状態に基づいてシステム停止の可能性の有無を把握することができるので、停止作業によりネットワークにシステム停止が発生するのを回避することができる。
【００４３】
本発明の請求項１９に係るネットワークの作業管理方法は、センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、これらデータベースに格納された通信設備の状態情報と回線の状態情報とのうち少なくともいずれか一方に基づいてシステム停止の有無を判定することを特徴とするものである。
【００４４】
本発明の請求項１９に係るネットワークの作業管理方法では、センターサーバは、作業担当端末装置から作業対象の通信設備に関し設備の状態について照会の要求があると、当該作業対象の通信設備に対して通信設備の状態を回答するよう求め、当該作業対象の通信設備から受け取った通信設備の状態についての回答を照会要求のあった作業担当端末装置に送信して表示させるとともに、当該通信設備の情報と当該通信設備の状態についての回答とをデータベースに格納し、作業担当端末装置から作業対象の通信設備に関し回線の状態について照会の要求があると、当該作業対象の通信設備に対して回線の状態を回答するよう求め、当該作業対象の通信設備から受け取った回線の状態についての回答を照会要求のあった作業担当端末装置に送信して表示させるとともに、当該回線の情報と回線の状態についての回答とをデータベースに格納し、これらデータベースに格納された通信設備の状態情報と回線の状態情報とのうち少なくともいずれか一方に基づいてシステム停止の有無を判定するようにしたことにより、システム停止の判定を設備の状態と回線の状態とのうち少なくともいずれか１に基づいて行うので、判定の精度が向上する。また、システム停止の可能性がある場合、作業担当端末装置側で設備の状態や回線の状態を把握して、ネットワークの健全性を把握することができ、オペレータはネットワークの健全性を監視し、健全性を確認した上で、作業を行うことができる。
【００４５】
本発明の請求項２０に係るネットワークの作業管理方法は、センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させることを特徴とするものである。
【００４６】
本発明の請求項２０に係るネットワークの作業管理方法では、センターサーバは、作業担当端末装置から作業対象の通信設備に関し通信設備の設定状態について照会の要求があると、当該作業対象の通信設備に対して通信設備の設定状態を回答するよう求め、当該作業対象の通信設備から受け取った通信設備の設定状態についての回答を照会要求のあった作業担当端末装置に送信して表示させ、作業担当端末装置から作業対象の通信設備に関し作業対象の通信設備を経由する経路について照会の要求があると、作業担当端末装置から提供された始端設備情報と終端設備情報とに基づいて、当該作業対象の通信設備に対して経路の状態を回答するよう求め、当該作業対象の通信設備から受け取った経路の状態についての回答を照会要求のあった作業担当端末装置に送信して表示させるようにしたことにより、システム停止の可能性がある場合、作業担当端末装置側で設備の設定状態や経路の状態を把握して、ネットワークの健全性を把握することができ、オペレータはネットワークの健全性をより細かく監視することができる。
【発明の効果】
【００４７】
本発明の請求項１に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備を、センターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させるようにしたので、作業開始前に、最新の通信設備の状態に基づいてシステム停止の可能性の有無を把握することができ、予め停止作業によるネットワークのシステム停止発生を回避することができる。
【００４８】
本発明の請求項９に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するよう構成されるとともに、通信設備は、インターネットプロトコルを有し、センターサーバからの指令に基づいて、通信設備の状態の情報をセンターサーバに送信する通信設備状態情報送信手段を備え、データベースは、センターサーバにより設定され作業日時と作業対象の通信設備の情報を含む停止作業計画の情報を格納して構成される作業計画データベースと、作業対象の通信設備から通信設備の設備運用状態の情報が送られてくると、その設備運用状態の情報を格納して構成される設備運用状態管理データベースと、作業対象の通信設備から通信設備の回線状態の情報が送られてくると、その回線状態の情報を格納して構成される回線状態管理データベースとを備え、センターサーバは、停止作業の当日、作業担当端末装置から当該停止作業開始の所定時間前に作業開始の通知を受け取ると、作業計画データベースから設定された停止計画情報を取り出し、作業開始情報とこの停止計画情報を外部に出力する当日作業計画管理手段と、当日作業計画管理手段から停止計画情報を受け取ると、当該作業対象の通信設備の情報に基づいて当該作業対象の通信設備に対し設備運用状況の確認を要求し、当該作業対象の通信設備から設備運用状況の回答を得ると、設備運用状態管理データベースにその情報を格納するとともに作業担当端末装置に送信して表示させる設備運用状態管理手段と、当日作業計画管理手段から停止計画情報を受け取ると、当該作業対象の通信設備の情報に基づいて当該作業対象の通信設備に対し回線状況の確認を要求し、当該作業対象の通信設備から回線状況の回答を得ると、回線状態管理データベースにその情報を格納するとともに作業担当端末装置に送信して表示させる回線状態管理手段と、当日作業計画管理手段から作業開始情報を受け取ると、設備運用状態管理データベースと回線状態管理データベースとから設備運用状態の情報と回線運用状態の情報とを求め、これら設備運用状態の情報と回線運用状態の情報とを外部に出力するシステム停止管理手段と、システム停止管理手段から設備運用状態の情報と回線運用状態の情報とのうち少なくともいずれか一方を受け取ると、当該停止作業によりネットワークのシステム停止があるか否かの判定を行い、このシステム停止判定の結果を作業担当端末装置に送信して表示させるシステム停止判定手段とを備え、当日作業計画管理手段は、作業担当端末装置から作業開始の通知を受け取ると、設備運用状態管理手段と回線状態管理手段とにより当該作業対象の通信設備から設備運用状態の情報と回線運用状態の情報とを設備運用状態管理データベースと回線状態管理データベースとにそれぞれ格納させ、システム停止管理手段がシステム停止判定手段にこれら格納された設備運用状態の情報と回線運用状態の情報とを送出すると、システム停止判定手段が当該停止作業によりネットワークのシステム停止があるか否かの判定を行い、このシステム停止判定の結果を作業担当端末装置に送信して表示させるとともに、当日作業計画管理手段は、作業担当端末装置からの求めに応じて設備運用状態管理手段を通じて設備運用状態の情報を、回線状態管理手段を通じて回線運用状態の情報をそれぞれ作業担当端末装置に送信して表示させるようにしたので、作業開始前に、最新の通信設備の状態に基づいてシステム停止の可能性の有無を把握することができるので、停止作業によるネットワークのシステム停止発生を回避することができる。また、システム停止の可能性がある場合、作業担当端末装置側で設備の状態や回線の状態を把握して、ネットワークの健全性を把握することができ、オペレータはネットワークの健全性を確認した上で、実際の停止作業を行うことができる。このため、システム停止の判定結果が示されても、作業担当端末装置側のオペレータの判断で停止作業を行うことができ、作業が効率化される。
【００４９】
本発明の請求項１８に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業対象の通信設備との情報を含む作業計画がセンターサーバに送信されると、センターサーバが停止作業開始前に作業対象の通信設備について停止情報を設定し、実作業終了後に、作業担当端末装置から作業終了通知がセンターサーバに送信されると停止情報の設定を解除するネットワークの作業管理方法であって、通信設備をセンターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象の通信設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させるようにしたので、作業開始前に、最新の通信設備の状態に基づいてシステム停止の可能性の有無を把握することができるので、停止作業によるネットワークのシステム停止発生を回避することができる。
【図面の簡単な説明】
【００５０】
【図１】図１は本発明の第１の実施例に係るネットワークの作業管理システムを示すシステム構成図である。（実施例１）
【図２】図２は図１のネットワークの作業管理システムの概念説明図である。
【図３】図３は図１のネットワークの作業管理システムによる管理方法を時系列に従って説明した説明図であり、図中、ＩないしＩＶはそれぞれ、作業当日前工程、作業当日の作業開始前工程、作業当日の回線状態確認および閉塞作業工程および作業当日の実作業中から実作業終了工程を示す。
【図４】図４は図１のネットワークの作業管理システムにおける作業対象となる停止予定設備の回線に関連する機器または機器のポート部の候補を抽出する例を示す説明図である。
【図５】図５は図４の一例における事業所と回線と回線に関連する機器ならびにポート部の構成を示す説明図である。
【図６】図６は図４の一例における事業所と回線と回線に関連する機器ならびにポート部の構成を示す説明図である。
【図７】図７は停止作業当日前までに最終的な停止計画を登録する手順を示すフローチャートである。
【図８】図８は閉塞候補を抽出する手順を示すフローチャートである。
【図９】図９は作業対象設備担当端末装置を特定し作業実施の諾否を求める手順を示すフローチャートである。
【図１０】図１０は本発明の第２の実施例に係るネットワークの作業管理システムのシステム構成図である。（実施例２）
【図１１】図１１は図１０のネットワークの作業管理システムの要部の概念説明図である。
【図１２】図１２は図１０のネットワークの作業管理システムによる管理方法を時系列に従って説明した説明図であり、図中、ＩＩないしＩＶはそれぞれ、作業当日の作業開始前工程、作業当日の通信設備運用状態確認並びに閉塞作業工程および作業当日の実作業中から実作業終了工程を示す。
【図１３】図１３は従来の、紙資料の中から人力による手作業で選び出して作成した作業計画を、監視制御システムに登録する例を示す概念説明図である。
【発明を実施するための形態】
【００５１】
実作業開始前にシステム停止判定を行い、停止ありの場合、システム停止の内容を通信設備の状態に基づいて把握し停止作業の効率化を図るという目的を、通信設備をセンターサーバと通信を通じて通信設備の運用状態について情報を遣り取り可能に接続して構成し、センターサーバに作業担当端末装置から設定された停止作業計画について作業開始の通知が送られてくると、センターサーバは当該作業対象の通信設備に対して通信設備の運用状態の情報を求め、当該作業対象設備から通信設備の運用状態についての情報がセンターサーバに送られてくると、その情報をデータベースに格納し、センターサーバはデータベースに格納された通信設備の運用状態の情報に基づいて、ネットワークのシステム停止の有無を判定し、このシステム停止判定結果を前記作業担当端末装置に送信して表示させるとともに、センターサーバは、作業担当端末装置から作業対象の通信設備に関し設備の状態について照会の要求があると、当該作業対象通信設備に対して設備の状態を回答するよう求め、当該作業対象通信設備から受け取った設備の状態についての回答を照会要求のあった作業担当端末装置に送信して表示させるとともに、当該設備の情報と設備の状態についての回答とをデータベースに格納し、作業担当端末装置から作業対象の通信設備に関し回線の状態について照会の要求があると、当該作業対象通信設備に対して回線の状態を回答するよう求め、当該作業対象通信設備から受け取った回線の状態についての回答を照会要求のあった作業担当端末装置に送信して表示させるとともに、当該回線の情報と回線の状態についての回答とをデータベースに格納し、これらデータベースに格納された設備の状態情報と回線の状態情報とのうち少なくともいずれか一方に基づいてシステム停止の有無を判定するようにしたことにより実現した。
【実施例１】
【００５２】
以下、図面に示す実施例により本発明を説明する。図１は本発明の第１の実施例に係るネットワークの作業管理システムのシステム構成図であり、図２は該システムの概念説明図である。本実施例に係るネットワークの作業管理システムは、図１に示すように、エントリー端末１０Ａと表示端末１０Ｂとが一体に構成され、予め決められた保守担当域の通信設備１２を管理する箇所端末（パーソナルコンピュータ、移動端末も含む。以下、端末装置と称す。）１０と、これら端末装置１０と通信回線（ＩＰ網、専用線網、公衆電話網等を含む）を通じて接続され、情報の遣り取りを行うとともに、通信設備１２と通信回線を通じて接続され、通信設備１２を制御するとともに、通信設備１２の回線状態を問い合わせ可能なセンターサーバ１１とを備えて構成される。本実施例でいうネットワークは、通信ネットワークをいう。
【００５３】
センターサーバ１１は、監視制御システムとしての役割を果たすようになっている。すなわち、センターサーバ１１を通じて、通信ネットワークの運用および保守管理と監視とを行うようになっている。通信設備、すなわち、作業対象は、回線（多重回線を含む。）および機器（光ケーブル、メタルケーブル、メカニカルクロージャ（光接続箱）、伝送装置等）を含む。本実施例では、通信設備１２は、インターネットプロトコル機器（例えば、ルータ、スイッチ、伝送装置等のＩＰ機器。以下、機器と称す。）またはＩＰ機器のポート部（ポート）であって、センターサーバ１１から送信される制御コマンドにより閉塞制御（停止制御）されたり、閉塞解除制御（停止解除制御）されたりする機器またはその機器の一部（ポート）である。また、通信設備１２は、センターサーバ１１から制御コマンドが送られてくると、制御コマンドの投入結果をセンターサーバ１１に送信するようになっている。さらに、通信設備１２は、センターサーバ１１から回線状態の情報を要求する問い合わせのコマンドが送られてくると、回線状態の情報をセンターサーバ１１に送信するようになっている。
【００５４】
端末装置１０は、保守担当者が所定の保守担当域における多数の通信設備１２を管理するため設置される。端末装置１０には、それぞれの保守担当域におけるネットワーク回線の情報および通信設備の情報が更新可能に格納されている。この端末装置１０に、作業担当者が自らの保守担当域に属する通信設備や他の保守担当域に属する通信設備に関して停止作業の予定計画情報（停止予定日時情報Ｉｄｔと停止予定通信設備情報Ｉｍｃを含む作業計画情報）ＰＬを立案して入力すると、その予定停止計画情報ＰＬは端末装置１０を通じてセンターサーバ１１に送信されるようになっている。以下、このように保守担当域に関係なく、停止作業計画情報ＰＬに基づいて停止作業が予定された作業対象の通信設備１２をセンターサーバ１１を通じて制御する端末装置１０を、作業担当端末装置（自支社の箇所端末）１０Ｘという。また、作業担当端末装置１０Ｘを除く端末装置であって、予定停止計画情報ＰＬに記載され停止作業が予定されている通信設備１２を自らの保守担当域に有しこの作業対象通信設備１２を管理する端末装置１０を作業対象設備担当端末装置（他支社の箇所端末）１０Ｙという。これら作業担当端末装置１０Ｘと作業対象設備担当端末装置１０Ｙはそれぞれ固定されたものではなく、予定停止計画情報ＰＬが入力される端末装置１０が作業担当端末装置１０Ｘとされ、作業担当端末装置１０Ｘの保守担当域と異なる保守担当域の端末装置１０であって、この保守担当域に含まれる作業対象通信設備１２を管理する端末装置１０が作業対象設備担当端末装置１０Ｙとされるようになっている。
【００５５】
各保守担当域の通信設備１２を管理する端末装置１０には、所管するエリアにおける通信設備のデータが更新自在に格納され、常に最新のデータをセンターサーバ１１とリアルタイムで共有するようになっている。作業担当端末装置１０Ｘは、図２に示すように、ある保守担当域における計画された予定停止の情報、すなわち、停止日時の情報Ｉｄｔおよび停止設備の情報Ｉｍｃを予定された変更の可能性のある停止計画情報ＰＬとして作業開始前にセンターサーバ１１に送信して入力するようになっている。センターサーバ１１は作業計画管理部（作業計画管理手段）２１を備え、この作業計画管理部２１は、作業担当端末装置１０Ｘから通信制御部２０を通じて入力された予定停止計画情報ＰＬに基づいて、その予定停止計画情報ＰＬについて所定の時間で締め切り処理を行い、その作業計画を決定する処理を行うようになっている。
【００５６】
センターサーバ１１は、運用管理系システム部１１Ａと監視制御系システム部１１Ｂとを備えて構成される。運用管理系システム部１１Ａには、データベースとして構成管理データベース２２と作業計画データベース２３とが備えられる。構成管理データベース２２には、ネットワークの回線情報および通信設備情報とともに、物理回線構成情報、設備構成情報（装置構成情報）および論理回線構成情報が格納されるようになっている。物理回線構成情報は、網構成および局内構成を含み、設備構成情報は、機器および機器内の部位（ポート）情報を含み、論理回線構成情報は、論理回線名および論理回線構成を含む。作業計画データベース２３には、ネットワークの回線情報および通信設備情報が格納されるとともに、作業計画管理部２１により停止のエントリーが決定された最終的な登録済み停止計画情報ＰＬｆ、すなわち、停止日時の情報Ｉｄｔ、停止設備の情報Ｉｍｃが、当該停止設備の閉塞対象機器または閉塞対象ポート部の情報として格納され、実作業終了後、作業担当端末装置１０Ｘから作業計画管理部２１を通じて作業終了の情報が送られてくると、停止の設定が解除され、実作業の結果が登録されるようになっている。
【００５７】
センターサーバ１１の運用管理系システム部１１Ａは、作業計画管理部２１と、データベース２２、２３と、物理網・論理網・局内構成図描画部（物理網・論理網・局内構成図描画処理手段）２４と、停止予定設備の回線に関連する閉塞対象機器候補または閉塞対象ポート候補を抽出する閉塞対象候補抽出部（作業対象候補抽出手段）２５と、作業担当端末装置１０Ｘから送信される選択された閉塞対象機器・閉塞対象ポート情報（または閉塞解除対象機器・閉塞解除対象ポート情報）に基づいて、対象となる機器を決定して対象機器の決定情報を外部に出力する作業対象設備決定部（作業対象設備担当端末装置抽出手段）２６と、作業対象設備決定部２６から出力された対象機器の決定情報を受け取り、決定された作業対象となる機器の情報に基づいて、この作業対象の機器を自らの保守担当域に有し、この作業対象の機器を管理する端末装置１０Ｙ１・・・１０Ｙｎ（ｎは任意の整数）を抽出する作業対象設備担当端末装置抽出部（作業対象設備担当端末装置抽出手段）２７と、作業対象設備担当端末装置抽出部２７により抽出された作業対象設備担当端末装置１０Ｙ１〜１０Ｙｎに対し停止のエントリーが決定された最終的な登録済み停止計画情報ＰＬｆに基づいて停止作業実施の承認要求を行うとともに、当該作業対象設備担当端末装置１０Ｙ１〜１０Ｙｎから承認の諾否情報が送られてくると、この諾否情報を作業計画管理部２１に送出する承認処理部（承認処理手段）２８とを備えて構成される。
【００５８】
作業計画管理部２１は、作業担当端末装置１０Ｘから作業対象通信設備１２について予定停止計画情報ＰＬが入力されると、この予定停止計画情報ＰＬの停止予定設備の情報Ｉｍｃを物理網・論理網・局内構成図描画部２４に出力するようになっている。また、作業計画管理部２１は、停止作業予定日より前に、承認処理部２８から作業対象設備担当端末装置１０Ｙ１〜１０Ｙｎから停止作業承認の諾否情報（諾否の判別結果）を受け取ると、この諾否情報に基づいて予定された停止作業実施の可否を決定するとともに、停止作業実施の可否の決定を作業担当端末装置１０Ｘに送信して表示させるようになっている。作業計画管理部２１は、この諾否情報に基づいて予定された停止作業実施を可とする決定を行うと、作業計画データベース２３に停止計画に対し実施が決定された停止作業を最終的な停止計画情報ＰＬｆとして登録するとともに、この最終的な停止計画情報ＰＬｆを作業計画データベース２３から後述する当日作業計画管理部３０に送出するようになっている。この最終的な停止計画情報ＰＬｆには、停止日時の情報と作業対象通信設備の情報とが、すなわち、停止日時の情報Ｉｄｔと閉塞対象（停止対象）の機器の情報Ｉｍｃ−Ｃｄｆまたはポート部の情報ｐ００ｎ−Ｃｄｆとの各情報Ｃｄｆが含まれる。作業計画管理部２１は、実作業終了後に、作業担当端末装置１０Ｘから作業終了の通知がセンターサーバ１１に送信されると停止情報ＰＬｆの設定を解除するようになっている。
【００５９】
物理網・論理網・局内構成図描画部２４は、物理網構成図、論理網構成図および局内構成図を描画処理することができ、これらを通信制御部２０を介して作業担当端末装置１０Ｘに送信して表示させるようになっている。物理網・論理網・局内構成図描画部２４は、作業計画部２１または閉塞対象候補抽出部２５から、入力された設備情報に基づいて構成管理データベース２２から物理回線構成情報Ｐｈと装置構成情報Ａｐと論理回線構成情報Ｌｇとを抽出して描画処理し、これら描画処理された構成図上に入力された設備情報を反映させて作業担当端末装置１０Ｘに表示させるようになっている。また、物理網・論理網・局内構成図描画部２４は、作業計画管理部２１から仮の予定停止計画情報ＰＬ（停止日時情報Ｉｄｔと停止予定設備情報Ｉｍｃとを含む）を受け取ると、閉塞対象候補抽出部２５に出力するようになっている。物理網・論理網・局内構成図描画部２４は、閉塞対象候補抽出部２５から閉塞予定機器またはポート部の候補情報Ｃｄ（閉塞予定候補の機器情報Ｉｍｃ−Ｃｄと閉塞予定候補のポート部情報ｐ００ｎ−Ｃｄと停止日時情報Ｉｄｔ）を受け取ると、この候補情報Ｃｄに基づき、構成管理データベース２２から候補情報Ｃｄに対応した物理回線構成情報Ｐｈと装置構成情報Ａｐと論理回線構成情報Ｌｇを抽出し、抽出された情報に関連付けして候補情報Ｃｄを、作業担当端末装置１０Ｘの上記描画処理された構成図に反映させて表示させるようになっている。以下、停止予定設備の候補情報Ｃｄ（Ｉｍｃ−Ｃｄ、ｐ００ｎ−Ｃｄ、Ｉｄｔ）には常に停止日時情報Ｉｄｔも添付されるが、その説明については省略し、停止予定設備の候補情報Ｃｄｆには停止日時情報Ｉｄｔも含まれるものとして説明する。ここでいう停止予定設備の情報Ｉｍｃ−Ｃｄとは、例えば、図４ないし図６に示すように、作業担当端末装置１０Ｘで所管していない事業所［Ｘ］［Ｙ］［Ｚ］［Ｗ］のうち事業所［Ｙ］のルータ装置「Ａ」を停止予定している場合、ルータ装置「Ａ」を指す。
【００６０】
閉塞対象候補抽出部２５は、物理網・論理網・局内構成図描画部２４から仮の予定停止計画情報ＰＬ（停止日時情報Ｉｄｔと停止予定設備情報Ｉｍｃとを含む）を受け取ると、物理網・論理網・局内構成図描画部２４が構成管理データベース２２により抽出した物理回線構成情報Ｐｈと装置構成情報Ａｐと論理回線構成情報Ｌｇとに基づいて、停止予定設備の回線に関連する機器またはポート部の候補を抽出し、抽出された閉塞候補の機器またはポート部の候補情報Ｃｄを物理網・論理網・局内構成図描画部２４に出力するようになっている。物理網・論理網・局内構成図描画部２４は、上述のように、閉塞対象候補抽出部２５から閉塞予定機器またはポート部の候補情報Ｃｄを受け取ると、この候補情報Ｃｄに基づき、構成管理データベース２２から候補情報Ｃｄに対応した物理回線構成情報Ｐｈと装置構成情報Ａｐと論理回線構成情報Ｌｇを抽出し、抽出された情報に関連付けして候補情報Ｃｄを、作業担当端末装置１０Ｘの描画処理された構成図に反映させて表示させる。このため、作業担当端末装置１０Ｘの表示端末１０Ｂには、停止予定通信設備の停止計画情報ＰＬに基づいて表示された物理網構成図、論理網構成図および局内構成図のうちいずれかの構成図上に、停止予定設備Ｉｍｃの回線に関連する機器またはポート部の候補情報Ｃｄが表示されるようになっている。作業担当端末装置１０Ｘに表示された閉塞対象とすべき機器またはポート部の候補Ｃｄに対し、オペレータが、作業対象とすべき機器またはポート部を選択すると、作業対象設備として選択された機器またはポート部の情報Ｃｄｆは、センターサーバ１１に送信され、後述する作業対象設備決定部２６に送られるようになっている。ここでいう閉塞対象候補抽出部２５により抽出された閉塞候補の機器またはポート部の候補情報Ｃｄとは、例えば、図４ないし図６に示すように、停止予定設備の情報Ｉｍｃが事業所［Ｙ］のルータ装置「Ａ」である場合、停止予定設備Ｉｍｃの回線に関連する機器の候補は、図４の「（II）閉塞対象候補：回線」に示すように、事業所［Ｗ］のルータ装置「Ｃ」、事業所［Ｚ］のルータ装置「Ｂ」、同じ事業所［Ｙ］のルータ装置「Ｉ」となる。そして、停止予定設備Ｉｍｃの回線に関連する機器のポート部候補は、事業所［Ｗ］のルータ装置「Ｃ」についてはポート番号ｐ００２（以下、Ｃ：ｐ００２と表記する。）、事業所［Ｚ］のルータ装置「Ｂ」についてはポート番号ｐ００３（以下、Ｂ：ｐ００３と表記する。）、同じ事業所［Ｙ］のルータ装置「Ｉ」についてはポート番号ｐ００１（以下、Ｉ：ｐ００１と表記する。）となる。また、ポート部候補には、オペレータにより閉塞順序が選択できるよう、閉塞順序選択情報が付されようになっている（図５および図６の閉塞候補を選択する欄参照）。オペレータは、閉塞順序を選択することができるので、作業手順を効率化することができる。
【００６１】
作業対象設備決定部２６は、作業担当端末装置１０Ｘから作業対象設備として選択された機器またはポート部の情報を受け取ると、受け取った停止予定設備の選択情報Ｃｄｆを作業対象設備として決定し、この選択された作業対象設備情報Ｃｄｆを作業対象設備担当端末装置抽出部２７に出力するようになっている。作業対象設備担当端末装置抽出部２７は、作業対象設備決定部２６から選択された作業対象設備情報Ｃｄｆを受け取ると、この選択された作業対象設備情報Ｃｄｆに基づき、構成管理データベース２２からこの停止作業対象設備Ｃｄｆが属する保守担当域を所管する端末装置１０Ｙ１、１０Ｙ２・・・１０Ｙｎを抽出し、抽出された作業対象設備担当端末装置１０Ｙ１〜１０Ｙｎの特定情報を承認処理部２８に出力するようになっている。
【００６２】
承認処理部２８は、受け取った作業対象設備担当端末装置１０Ｙ１〜１０Ｙｎの特定情報に基づき、特定された作業対象設備担当端末装置１０Ｙ１〜１０Ｙｎに、作業担当端末装置１０Ｘにより選択され、それぞれ対応する保守担当域に属する停止作業の対象とすべき通信設備の情報Ｃｄｆ（機器の情報Ｉｍｃ−Ｃｄｆ、ポート部の情報ｐ００ｎ−Ｃｄｆ）と停止日時の情報Ｉｄｔとを送信し、当該作業対象設備担当端末装置１０Ｙ１〜１０Ｙｎが停止作業の実施を承認するか否かの承認要求を行うようになっている。また、承認処理部２８は、この承認要求を行った後、これら作業対象設備担当端末装置１０Ｙ１〜１０Ｙｎから停止作業実施承認の諾否の情報を受け取ると、この諾否情報を作業計画管理部２１に出力するようになっている。作業計画管理部２１は、上述のように、承認処理部２８から停止作業について諾否の判別結果を受け取ると、この判別結果に基づいて予定された停止作業計画情報ＰＬの可否を決定するとともに、停止作業実施の可否の決定を作業担当端末装置１０Ｘに送信して表示させるようになっている。停止作業の実施が可の場合、最終的な停止計画情報ＰＬｆが作業計画管理部２１を通じて作業計画データベースに２３に登録され、後述する当日作業計画管理部３０に出力されるとともに作業担当端末装置１０Ｘに表示される。停止作業の実施が不可の場合、一連の停止作業の処理は終了して仮の停止計画情報ＰＬはキャンセルされ、作業担当のオペレータは、改めて後日の作業計画を練り直す。
【００６３】
このようにして、センターサーバ１１の運用管理系システム部１１Ａでは、停止作業当日の前に、作業担当のオペレータにより作業担当端末装置１０Ｘを通じて予定された停止計画情報ＰＬが入力されると、作業計画部２１がこの停止計画情報ＰＬを物理網・論理網・局内構成図描画部２４に出力し、物理網・論理網・局内構成図描画部２４は、受け取った停止計画情報ＰＬを閉塞対象候補抽出部２５に出力する。閉塞対象候補抽出部２５は、構成管理データベース２２に格納された通信設備の情報に基づいて、停止予定設備の回線に関連する機器またはポート部の候補を抽出し、抽出された候補情報Ｃｄを物理網・論理網・局内構成図描画部２４に出力する。物理網・論理網・局内構成図描画部２４は、受け取った候補情報Ｃｄに基づいて、作業担当端末１０Ｘの画面上で、停止予定通信設備の停止計画情報ＰＬに基づいて表示された物理網構成図、論理網構成図および局内構成図のうちいずれかの構成図に、停止予定設備Ｉｍｃの回線に関連する機器またはポート部の候補情報Ｃｄを表示させるようになっている。そして、作業担当のオペレータにより作業担当端末装置１０Ｘを通じて候補情報Ｃｄから作業対象とすべき機器または機器のポート部Ｃｄｆが選択されると、その選択された選択情報Ｃｄｆがセンターサーバ１１の運用管理系システム部１１Ａに送信される。運用管理系システム部１１Ａでは、受け取った停止予定設備の選択情報Ｃｄｆを作業対象設備として決定するとともに、構成管理データベース２２に格納された通信設備の情報に基づいて、作業対象として選択された機器Ｉｍｃ−Ｃｄｆまたはポート部ｐ００ｎ−Ｃｄｆを自らの保守担当域に有し当該機器Ｉｍｃ−Ｃｄｆまたは当該ポート部ｐ００ｎ−Ｃｄｆを管理する端末装置１０Ｙ１〜１０Ｙｎを作業対象設備担当端末装置として抽出し、抽出された作業対象設備担当端末装置１０Ｙ１〜１０Ｙｎにそれぞれの保守担当域毎に予定された停止日時Ｉｄｔと選択された機器または機器のポート部の情報Ｃｄｆを送信して、停止作業実施承認の諾否を求め、作業対象設備担当端末装置１０Ｙ１〜１０Ｙｎから停止作業について諾否の判別結果Ａｙ／ｎを受け取ると、この判別結果Ａｙ／ｎに基づいて予定された停止作業実施の可否を最終的に決定するとともに、停止作業実施の可否の決定を作業担当端末装置１０Ｘに送信して表示させるようになっている。
【００６４】
センターサーバ１１の監視制御系システム部１１Ｂは、作業計画データベース（データベース）２３と、当日作業計画管理部（当日作業計画管理手段）３０と、当日承認処理部（当日承認処理手段）３１と、制御コマンド文法データベース（制御コマンド生成手段）３２と、制御コマンド生成部（制御コマンド生成手段）３３と、回線状態確認部（回線状態確認手段）３４と、閉塞・閉塞解除制御部（停止・停止解除制御手段）３５とを備えて構成される。
【００６５】
当日作業計画管理部３０は、停止作業当日の作業開始所定時間前（本実施例では作業開始ｔ１分前、ｔ１分は、例えば、３０分、６０分、１８０分というように、すなわち、ｔ１分前は３０分前、１時間前、３時間前というように作業に応じて決定される。）、停止作業当日前に予め作業計画データベース２３から受け取った最終的な登録済み停止計画情報ＰＬｆに基づいて、この最終的な登録済み停止計画情報ＰＬｆとすでに特定されている停止作業の通信設備を管理する作業対象設備担当端末装置１０Ｙ１〜１０Ｙｎの特定情報を当日承認処理部３１に出力する。また、当日作業計画管理部３０は、上記作業対象設備担当端末装置１０Ｙ１〜１０Ｙｎから当日の停止作業について諾否の判別結果Ａｆｙ／ｎを当日承認処理部３１を通じて受け取ると、この判別結果Ａｆｙ／ｎに基づいて登録された最終的な登録済み停止計画情報ＰＬｆによる当日実施について開始の可否を作業担当端末装置１０Ｘに送信して表示させるようになっている。さらに、当日作業計画管理部３０は、作業担当端末装置１０Ｘから作業対象となる機器Ｉｍｃ−Ｃｄｆまたはポート部ｐ００ｎ−Ｃｄｆに対し回線状態を確認するよう要求する指令を受け取ると、この指令を回線状態確認部３４に送出するようになっている。また、当日作業計画管理部３０は、作業担当端末装置１０Ｘから作業対象となる機器Ｉｍｃ−Ｃｄｆまたはポート部ｐ００ｎ−Ｃｄｆについて閉塞（停止）または閉塞解除（停止解除）を要求する指令を受け取ると、この指令を閉塞・閉塞解除制御部３５に送出するようになっている。
【００６６】
当日承認処理部３１は、当日作業計画管理部３０から最終的な登録済み停止計画情報ＰＬｆと作業対象設備担当端末装置１０Ｙ１〜１０Ｙｎの特定情報とを受け取ると、この特定情報に基づき、特定された作業対象設備担当端末装置１０Ｙ１〜１０Ｙｎに、最終的な登録済み停止計画情報ＰＬｆに基づいて、作業当日の作業対象とすべき機器Ｉｍｃ−Ｃｄｆまたはポート部ｐ００ｎ−Ｃｄｆの情報Ｃｄｆと停止日時の情報Ｉｄｔを送信し、当該作業対象設備担当端末装置１０Ｙ１〜１０Ｙｎが当日の停止作業実施を承認するか否かの当日承認要求を行うとともに、これら作業対象設備担当端末装置１０Ｙ１〜１０Ｙｎから承認の諾否の情報Ａｆｙ／ｎを受け取ると、この当日作業諾否情報Ａｆｙ／ｎを当日作業計画管理部３０に出力するようになっている。当日作業計画管理部３０は、当日承認処理部３１から当日の停止作業について諾否の判別結果Ａｆｙ／ｎを受け取ると、この判別結果Ａｆｙ／ｎに基づいて登録された停止計画情報ＰＬｆによる当日作業実施の可否を決定するとともに、当日停止作業開始の可否の決定を作業担当端末装置１０Ｘに送信して表示させるようになっている。当日停止作業の開始が可の場合、作業担当端末装置１０Ｘを通じて、実作業が開始される。当日停止作業の開始が不可の場合、一連の停止作業の処理は終了し登録された停止計画情報ＰＬｆはキャンセルされ、作業担当のオペレータは、改めて後日の作業計画を練り直す。
【００６７】
回線状態確認部３４は、作業担当端末装置１０Ｘから当日作業計画管理部３０を通じて、回線状態を確認するよう要求する指令を受け取ると、この指令に基づいて制御コマンド生成部３３に回線状態情報要求コマンド生成とそのコマンド投入の要求を指令するようになっている。制御コマンド生成部３３は、回線状態確認部３４からの指令に基づき、制御コマンドを生成する文法が格納された制御コマンド文法データベース３２により回線状態情報要求コマンドを生成し、作業対象の機器Ｉｍｃ−Ｃｄｆまたはポート部ｐ００ｎ−Ｃｄｆに対し、回線状態の確認を要求する情報を送出するようになっている。回線状態確認部３４は、作業対象の機器Ｉｍｃ−Ｃｄｆまたはポート部ｐ００ｎ−Ｃｄｆが回線状態確認要求に応え、回線状態の情報をセンターサーバ１１に送ってくると、この回線状態の情報を受け取り、作業担当端末装置１０Ｘに送信して表示させるようになっている。
【００６８】
閉塞・閉塞解除制御部３５は、作業担当端末装置１０Ｘから当日作業計画管理部３０を通じて、作業対象の機器Ｉｍｃ−Ｃｄｆまたはポート部ｐ００ｎ−Ｃｄｆについて閉塞を要求する指令を受け取ると、この指令に基づいて制御コマンド生成部３３に閉塞要求コマンドを生成するように指令する。制御コマンド生成部３３は、閉塞・閉塞解除制御部３５からの指令に基づき、制御コマンド文法データベース３２により閉塞要求コマンドを生成し、作業対象の機器Ｉｍｃ−Ｃｄｆまたはポート部ｐ００ｎ−Ｃｄｆに対し、閉塞を要求する情報を送出するようになっている。閉塞・閉塞解除制御部３５は、閉塞要求を受けた作業対象の機器または機器のポート部Ｃｄｆから閉塞実行の結果が送信されてくると、その実行結果を作業担当端末装置１０Ｘに送信して表示させるようになっている。また、閉塞・閉塞解除制御部３５は、作業担当端末装置１０Ｘから当日作業計画管理部３１を通じて、閉塞中の機器Ｉｍｃ−Ｃｄｆまたはポート部ｐ００ｎ−Ｃｄｆについて閉塞解除を要求する指令を受け取ると、この指令に基づいて制御コマンド生成部３３に閉塞解除要求コマンドを生成するよう指令するようになっている。制御コマンド生成部３３は、閉塞・閉塞解除制御部３５からの指令に基づき、制御コマンド文法データベース３２により閉塞解除要求コマンドを生成し、閉塞中の機器Ｉｍｃ−Ｃｄｆまたはポート部ｐ００ｎ−Ｃｄｆに対し、閉塞解除を要求する情報を送出するようになっている。閉塞・閉塞解除制御部３５は、閉塞解除要求を受けた閉塞中の機器Ｉｍｃ−Ｃｄｆまたはポート部ｐ００ｎ−Ｃｄｆから閉塞解除実行の結果が送信されてくると、その実行結果を作業担当端末装置１０Ｘに送信して表示させるようになっている。以下、閉塞対象（停止対象）となるのは、機器（ＩＰ機器）Ｉｍｃ−ＣｄｆまたはＩＰ機器のポート部ｐ００ｎ−Ｃｄｆのうち少なくともいずれか一方であればよい。
【００６９】
次に、本発明に係るネットワークの作業管理方法について、上記実施例に係るネットワークの作業管理システムの作用に基づいて説明する。
まず、当日作業前に、作業担当者は作業担当端末装置１０Ｘを通じて、仮の予定停止計画情報ＰＬをセンターサーバ１１に送信し、閉塞予定候補の絞り込みを行う。
すなわち、図２および図３に示すように、ネットワークの回線について将来の停止作業を予定している作業担当者は、自らの保守担当域を所管する端末装置、すなわち、作業担当端末装置１０Ｘを通じて、事前に仮の予定停止計画情報ＰＬをセンターサーバ１１に送信すると（図２のＡ−１参照）、この予定停止計画情報ＰＬはセンターサーバ１１の作業計画管理部２１に入力される。次に、作業計画管理部２１が、この予定停止計画情報ＰＬのうち停止予定設備の情報Ｉｍｃを物理網・論理網・局内構成図描画部２４に送出すると（図２のＡ−２参照）、物理網・論理網・局内構成図描画部２４は、入力された停止予定設備の情報Ｉｍｃに基づいて、構成管理データベース２２から物理回線構成情報Ｐｈと装置構成情報Ａｐと論理回線構成情報Ｌｇとを抽出する（図２のＡ−３参照）。そして、物理網・論理網・局内構成図描画部２４は、これら抽出された物理回線構成情報Ｐｈ、装置構成情報Ａｐおよび論理回線構成情報Ｌｇとに基づいて網構成図や装置構成図などの構成図を描画処理して作業担当端末装置１０Ｘに表示させる。また、物理網・論理網・局内構成図描画部２４は作業計画管理部２１から受け取った停止予定設備の情報Ｉｍｃを閉塞対象候補抽出部２５に送出する（図２のＡ−４参照）。閉塞対象候補抽出部２５は、物理網・論理網・局内構成図描画部２４から受け取った停止予定設備の情報Ｉｍｃに基づいて、停止予定設備Ｉｍｃ（例えば、図４に示すルータ装置「Ａ」）の回線に関連する機器とそのポート部の候補を抽出し、抽出された停止予定設備Ｉｍｃの回線に関連する機器（例えば、図４に示すルータ装置「Ｃ」、「Ｂ」、「Ｉ」）とそのポート部（例えば、図４に示す「Ｃ：ｐ００２」、「Ａ：ｐ００１」、「Ｂ：ｐ００３」、「Ａ：ｐ００２」、「Ｉ：ｐ００１」、「Ａ：ｐ００３」で、「機器：ｐ００ｎ」（ｎは自然数）で表す。）の候補情報Ｃｄを物理網・論理網・局内構成図描画部２４に出力する（図２のＡ−５、図５および図６参照）。物理網・論理網・局内構成図描画部２４は、閉塞対象候補抽出部２５から受け取った抽出された閉塞予定の機器とそのポート部の候補情報Ｃｄに基づいて、作業担当端末装置１０Ｘに表示させ描画処理されている構成図にこれら候補情報Ｃｄを反映させる（図２のＡ−６参照）。
【００７０】
次に、作業担当端末装置１０Ｘのオペレータにより閉塞予定候補のうち停止作業対象とすべき通信設備を選択し、選択された候補情報Ｃｄｆに基づいて、その候補の属する保守担当域の作業対象設備担当端末装置１０Ｙｎを特定し、特定された作業対象設備担当端末装置１０Ｙｎに停止作業の承認を求める。
すなわち、作業担当端末装置１０Ｘでは、閉塞予定の候補情報Ｃｄが反映された物理網構成図、論理網構成図および局内構成図が表示されると、オペレータは、閉塞作業の対応を調整し、この候補の中から閉塞作業の対象とすべき機器Ｉｍｃ−Ｃｄｆ（例えば、図４に示すルータ装置「Ａ」と「Ｃ」）とそのポート部ｐ００ｎ−Ｃｄｆ（例えば、図４に示すルータ装置「Ｃ」のポート部ｐ００２「Ｃ：ｐ００２」とルータ装置「Ａ」のポート部ｐ００１「Ａ：ｐ００１」）を選択する。オペレータが閉塞作業の対象とすべき機器Ｉｍｃ−Ｃｄｆのポート部ｐ００ｎ−Ｃｄｆを選択すると、これら選択された閉塞作業の対象とすべき機器Ｉｍｃ−Ｃｄｆとそのポート部ｐ００ｎ−Ｃｄｆの情報Ｃｄｆは作業対象設備決定部２６に送信される（図２のＡ−７参照）。作業対象設備決定部２６は、作業担当端末装置１０Ｘから作業対象設備として選択された機器Ｉｍｃ−Ｃｄｆとそのポート部ｐ００ｎ−Ｃｄｆの情報Ｃｄｆを受け取ると、受け取った停止予定設備の情報Ｃｄｆを作業対象設備として仮決定し、この作業対象設備情報Ｃｄｆを作業対象設備担当端末装置抽出部２７に出力する（図２のＡ−８参照）。作業対象設備担当端末装置抽出部２７は、作業対象設備決定部２６から作業対象設備情報Ｃｄｆを受け取ると、この作業対象設備情報Ｃｄｆに基づき、構成管理データベース２２からこの停止作業対象設備Ｃｄｆが属する保守担当域を所管する端末装置１０Ｙ１、１０Ｙ２・・・１０Ｙｎを抽出し、抽出された作業対象設備担当端末装置１０Ｙ１〜１０Ｙｎを特定する特定情報を承認処理部２８に出力する。承認処理部２８は、受け取った作業対象設備担当端末装置１０Ｙ１〜１０Ｙｎの特定情報に基づき、特定された作業対象設備担当端末装置１０Ｙ１〜１０Ｙｎに、それぞれ対応する保守担当域に属する選択された停止作業の対象とすべき機器Ｉｍｃ−Ｃｄｆとそのポート部ｐ００ｎ−Ｃｄｆの情報Ｃｄｆと停止日時の情報Ｉｄｔを送信し、該当する作業対象設備担当端末装置１０Ｙ１〜１０Ｙｎが停止作業の実施を承認するか否かの承認要求を行う（図２のＡ−９参照）。
【００７１】
次に、特定された作業対象設備担当端末装置１０Ｙｎから受け取った停止作業の諾否情報Ａｙ／ｎを、作業担当端末装置１０Ｘに知らせ、作業当日前までに最終的な停止計画情報ＰＬｆを登録する。
作業対象設備担当端末装置１０Ｙ１〜１０Ｙｎは、承認処理部２８から停止作業承認の諾否を求められると、これら該当する作業対象設備担当端末装置１０Ｙ１〜１０Ｙｎのオペレータは、自らが管理する通信設備について、停止作業の実施を承認するかどうか、内容を確認して閉塞作業の対応を調整し、承認の諾否情報Ａｙ／ｎを承認処理部２８に送信する（図２のＡ−１０参照）。承認処理部２８は該当する作業対象設備担当端末装置１０Ｙ１〜１０Ｙｎのすべてから承認の諾否情報Ａｙ／ｎを受け取ると、これら諾否情報Ａｙ／ｎを作業計画管理部２１に出力する（図２のＡ−１１参照）。作業計画管理部２１は、諾否情報Ａｙ／ｎを受け取ると、この諾否情報Ａｙ／ｎに基づいて予定された停止作業実施の可否を決定するとともに、停止作業実施の可否の決定の情報（実施可：Ａｙ、実施不可：Ａｎ）を作業担当端末装置１０Ｘに送信して表示させる。
【００７２】
すなわち、作業計画管理部２１は、承認処理部２８からの判別結果Ａｙ／ｎに基づいて予定された停止作業の実施を決定すると、この停止作業を最終的な停止計画情報ＰＬｆとして停止のエントリーを最終的に決定する。つまり、作業計画管理部２１は、この予定停止計画情報ＰＬについて所定の時間で締め切り処理を行ってその作業計画を決定する処理を行い、停止のエントリーが決定された最終的な停止計画情報ＰＬｆ（停止日時の情報Ｉｄｔと停止予定設備の情報Ｉｍｃ−Ｃｄｆとそのポート部ｐ００ｎ−Ｃｄｆの情報Ｃｄｆ）を作業計画データベース２３に格納させて登録する（図２のＡ−１２、図３の作業当日前工程Ｉおよび図７参照）。逆に、作業計画管理部２１が、承認処理部２８からの判別結果Ａｙ／ｎに基づいて予定された停止作業ＰＬの不実施を決定すると、その不実施の結果Ａｎを作業担当端末装置１０Ｘに送信して表示させるとともに、一連の処理を終了し停止作業計画ＰＬはキャンセルされる。作業担当端末装置１０Ｘは不実施の結果Ａｎが送られてくると、停止作業ＰＬについての作業計画を破棄し、作業担当のオペレータは改めて作業計画を練り直す。以上の工程（Ａ−１〜Ａ−１２）は、作業当日前までに行われる。作業当日前までに予め該当する作業対象設備担当端末装置１０Ｙ１〜１０Ｙｎすべてから承認を受けた最終的な停止計画情報ＰＬｆが登録されると、作業当日を待つ。なお、最終的な停止計画情報ＰＬｆの登録は、作業担当者自らの保守担当域（自支社の担当域、本実施例の場合、作業担当端末装置１０Ｘが所管する保守担当域）に属する通信設備１２であろうと、他の保守担当域（他支社の担当域、本実施例の場合、作業対象設備担当端末装置１０Ｙｎが所管する保守担当域）に属する通信設備１２であろうと関係なく行われる。すなわち、承認処理部２８による停止作業承認要求は、停止作業対象に作業担当端末装置１０Ｘが所管する保守担当域に属する通信設備１２が含まれている場合、作業担当端末装置１０Ｘにも停止作業承認要求が行われる。
【００７３】
作業当日は、作業開始の所定時間前に、すでに特定されている作業対象設備担当端末装置１０Ｙｎに当日の停止作業の承認を再度求め、承認を得る。
作業当日、当日作業計画管理部３０は、作業開始の所定時間前（本実施例では、作業開始のｔ１分以上前）に、最終的な停止計画情報ＰＬｆが登録されてから作業当日までの間に、停止作業に対する状況の変化があったかどうかの確認を行う。すなわち、当日作業計画管理部３０は、作業開始のｔ１分前になると、作業計画データベース２３から最終的な登録済み停止計画情報ＰＬｆを取り出し（図２のＢ−１、図３の作業当日の作業開始前工程ＩＩ参照）、作業計画データベース２３より得た停止日時の情報Ｉｄｔと停止予定設備の情報Ｉｍｃ−Ｃｄｆとその閉塞対象ポート部ｐ００ｎ−Ｃｄｆの情報Ｃｄｆと、当日の停止作業の通信設備を管理する作業対象設備担当端末装置１０Ｙ１〜１０Ｙｎを特定する特定情報とを当日承認処理部３１に送出する。当日承認処理部３１は、受け取った各情報に基づき、特定された作業対象設備担当端末装置１０Ｙ１〜１０Ｙｎに、作業当日の作業対象とすべき機器とポート部の情報Ｃｄｆと停止日時の情報Ｉｄｔを送信し、当該作業対象設備担当端末装置１０Ｙ１〜１０Ｙｎが当日の停止作業実施を承認するか否かの当日承認要求を行う（図２のＢ−２参照）。作業対象設備担当端末装置１０Ｙ１〜１０Ｙｎは、当日承認処理部３１から当日の停止作業承認の諾否を求める情報が送られてきて、該当するその当日停止作業承認の諾否を求める情報を表示すると、これら該当する作業対象設備担当端末装置１０Ｙ１〜１０Ｙｎのオペレータが、自らが所管する通信設備について、当日停止作業を承認するかどうか、内容を確認し、承認の諾否情報Ａｆｙ／ｎを当日承認処理部３１に送信する。そして、当日承認処理部３１は、これら該当する作業対象設備担当端末装置１０Ｙ１〜１０Ｙｎすべてから承認の諾否情報Ａｆｙ／ｎを受け取ると（図２のＢ−３参照）、この当日作業諾否情報Ａｆｙ／ｎを当日作業計画管理部３０に出力する（図２のＢ−４参照）。当日作業計画管理部３０は、当日承認処理部３１から当日作業諾否情報Ａｆｙ／ｎを受け取ると、この諾否の判別結果Ａｆｙ／ｎに基づいて登録された停止作業計画ＰＬｆによる当日作業実施または当日作業不実施を決定するとともに、当日停止作業実施の可否の決定（当日停止作業実施可：Ａｆｙ、当日停止作業実施不可：Ａｆｎ）を作業担当端末装置１０Ｘに送信して表示させる。
【００７４】
すなわち、当日作業計画管理部３０は、当日承認処理部３１からの判別結果Ａｆｙ／ｎに基づいて登録された停止計画情報ＰＬｆによる当日実施を決定すると、この停止計画情報ＰＬｆについて当日作業が開始可能である旨の通知Ａｆｙを作業担当端末装置１０Ｘに送信して表示させる（図２のＢ−５参照）。他方、当日作業計画管理部３０は、当日承認処理部３１からの判別結果Ａｆｙ／ｎに基づいて最終的な停止計画情報ＰＬｆによる当日不実施を決定すると、その当日不実施の結果Ａｆｎを作業担当端末装置１０Ｘに送信して表示させるとともに、一連の処理を終了し登録された停止計画情報ＰＬｆをキャンセルする。作業担当端末装置１０Ｘは当日不実施の結果Ａｆｎが送られてくると、予定された停止計画情報ＰＬｆによる作業計画を破棄し、作業担当のオペレータは新たに作業計画を練り直す。
【００７５】
作業対象設備担当端末装置１０Ｙｎから当日の停止作業実施の承認を得れば、回線状態を確認して閉塞制御を実行し、さらに、その閉塞制御実行後の回線状態を確認し、異常がなければ実作業を開始する。
作業担当端末装置１０Ｘのオペレータは、当日作業計画管理部３０から停止計画情報ＰＬｆによる当日作業実施が開始可能である旨の通知Ａｆｙを受け取ると、サーバ１１に予定時刻をもって作業を開始する旨の通知を送信する（図２のＣ−１参照）。また、作業担当端末装置１０Ｘのオペレータは、サーバ１１に作業を開始する旨の通知を送信すると、次に、サーバ１１に回線状態の確認を求める（図２のＣ−２および図３の作業当日の回線状態確認および閉塞作業工程ＩＩＩ参照）。
【００７６】
当日作業計画管理部３０は、作業担当端末装置１０Ｘから回線状態の確認要求を受け取ると、回線状態確認部３４に回線状態の確認が必要な機器とそのポート部の情報Ｃｄｆ（停止予定設備の情報Ｉｍｃ−Ｃｄｆとそのポート部ｐ００ｎ−Ｃｄｆの情報Ｃｄｆ）を送出する（図２のＣ−３参照）。回線状態確認部３４は、この情報Ｃｄｆを受け取ると、この情報Ｃｄｆに基づいて、制御コマンド生成部３３に回線状態確認用のコマンドの生成要求とそのコマンド投入の要求を行う（図２のＣ−４参照）。制御コマンド生成部３３は、回線状態確認用のコマンドの生成要求とそのコマンド投入の要求とを受け取ると、制御コマンド文法データベース３２の情報に基づいて、回線状態確認コマンドを生成し、この回線状態確認コマンドを対象となる機器Ｉｍｃ−Ｃｄｆとポート部ｐ００ｎ−Ｃｄｆに通信制御部２０を介して投入する（図２のＣ−５参照）。
【００７７】
通信設備１２のうち、対象となる機器Ｉｍｃ−Ｃｄｆとポート部ｐ００ｎ−Ｃｄｆに回線状態確認コマンドが投入されると、対象となる機器Ｉｍｃ−Ｃｄｆとポート部ｐ００ｎ−Ｃｄｆ、すなわち、作業対象となる通信設備１２は、回線状態を確認し、回線状態確認コマンドの投入結果Ｒｃｎｆ１をサーバ１１に送信する（図２のＣ−６参照）。回線状態確認部３４は、作業対象となる通信設備１２から回線状態を確認する回線状態結果Ｒｃｎｆ１を受け取ると、この回線状態結果Ｒｃｎｆ１を作業担当端末装置１０Ｘに送信して表示させる（図２のＣ−７参照）。作業担当端末装置１０Ｘのオペレータは、表示された作業対象となる通信設備１２の回線状態結果Ｒｃｎｆ１から回線状態が確認された通信設備１２について、サーバ１１に閉塞制御実行の要求を行う（図２のＣ−８参照）。閉塞制御実行の要求は、作業対象となる通信設備１２が作業担当者自らの保守担当域（自支社の担当域）に属する通信設備１２であろうと、他の保守担当域（他支社の担当域）に属する通信設備１２であろうと関係なく行われる。
【００７８】
当日作業計画管理部３０は、作業担当端末装置１０Ｘから閉塞制御実行の要求が送られてくると、閉塞・閉塞解除制御部３５に閉塞制御を実行する対象となる機器とそのポート部の情報Ｃｄｆを送出する（図２のＣ−９参照）。閉塞・閉塞解除制御部３５は、当日作業計画管理部３０から閉塞制御の対象となる機器とそのポート部の情報Ｃｄｆを受け取ると、この情報Ｃｄｆに基づいて、制御コマンド生成部３３に閉塞制御用のコマンドの生成要求とそのコマンド投入の要求を行う（図２のＣ−１０参照）。制御コマンド生成部３３は、閉塞制御用のコマンドの生成要求とそのコマンド投入の要求とを受け取ると、制御コマンド文法データベース３２の情報に基づいて、閉塞制御コマンドを生成し、この閉塞制御コマンドを対象となる機器Ｉｍｃ−Ｃｄｆとポート部ｐ００ｎ−Ｃｄｆとに通信制御部２０を介して投入する（図２のＣ−１１参照）。対象となる機器Ｉｍｃ−Ｃｄｆとポート部ｐ００ｎ−Ｃｄｆとに閉塞制御コマンドが投入されると、対象となる機器Ｉｍｃ−Ｃｄｆとポート部ｐ００ｎ−Ｃｄｆは、閉塞され、閉塞制御コマンドの投入結果Ｒｃｎｆ２をサーバ１１に送信する（図２のＣ−１２参照）。閉塞・閉塞解除制御部３５は、作業対象となる通信設備１２から閉塞制御を確認する閉塞制御コマンドの投入結果Ｒｃｎｆ２を受け取ると、この閉塞制御コマンドの投入結果Ｒｃｎｆ２を作業担当端末装置１０Ｘに送信して表示させる（図２のＣ−１３参照）。作業担当端末装置１０Ｘのオペレータは、表示された作業対象となる通信設備１２の閉塞制御コマンドの投入結果Ｒｃｎｆ２から閉塞制御が実行されたかどうか確認する。
【００７９】
次に、作業担当端末装置１０Ｘのオペレータは、表示された閉塞制御コマンドの投入結果Ｒｃｎｆ２から閉塞制御が実行されたかどうか確認すると、再度、閉塞実行後の回線状態を確認する。つまり、作業担当端末装置１０Ｘのオペレータは、閉塞制御実行の確認後、サーバ１１に回線状態の確認を求め（図２のＣ−１４参照）、サーバ１１の当日作業計画管理部３０は、回線状態の確認要求を受け取ると、回線状態確認部３４に閉塞制御実行後の、回線状態の確認が必要な機器とポート部の情報Ｃｄｆ−ｏｆｆ（閉塞制御実行後の設備の情報Ｉｍｃ−Ｃｄｆ−ｏｆｆとポート部ｐ００ｎ−Ｃｄｆ−ｏｆｆの情報Ｃｄｆ−ｏｆｆ）を送出し（図２のＣ−１５参照）、回線状態確認部３４は、回線状態の確認が必要な機器とポート部の情報Ｃｄｆ−ｏｆｆを受け取ると、この情報Ｃｄｆ−ｏｆｆに基づいて、制御コマンド生成部３３に回線状態確認用のコマンドの生成要求とそのコマンド投入の要求を行う（図２のＣ−１６参照）。制御コマンド生成部３３は、回線状態確認部３４から回線状態確認用のコマンドの生成要求とそのコマンド投入の要求とを受け取ると、制御コマンド文法データベース３２の情報に基づいて、回線状態確認コマンドを生成し、この回線状態確認コマンドを対象となる機器Ｉｍｃ−Ｃｄｆ−ｏｆｆとポート部ｐ００ｎ−Ｃｄｆ−ｏｆｆに通信制御部２０を介して投入し（図２のＣ−１７参照）、対象となる機器Ｉｍｃ−Ｃｄｆ−ｏｆｆとポート部ｐ００ｎ−Ｃｄｆ−ｏｆｆとに回線状態確認コマンドが投入されると、対象となる機器Ｉｍｃ−Ｃｄｆ−ｏｆｆとポート部ｐ００ｎ−Ｃｄｆ−ｏｆｆは、回線状態を確認し、回線状態確認コマンドの投入結果Ｒｃｎｆ３をサーバ１１に送信する（図２のＣ−１８参照）。回線状態確認部３４は、閉塞制御された通信設備１２から回線状態を確認する回線状態結果Ｒｃｎｆ３を受け取ると、この回線状態結果Ｒｃｎｆ３を作業担当端末装置１０Ｘに送信して表示させる（図２のＣ−１９参照）。こうして、作業担当のオペレータは、作業担当端末装置１０Ｘを通じて、閉塞制御実行後の回線状態を確認することができ、異常がなければ、工事作業者に実作業の許可を与える。工事作業者は作業担当のオペレータの許可により実作業を開始する。
【００８０】
次に、作業担当端末装置１０Ｘのオペレータは、実作業終了前に、作業対象設備担当端末装置１０Ｙｎに閉塞解除の事前承認を求め、実作業終了後、閉塞解除を行い、回線の復旧を確認し、停止作業を終了する。
まず、作業担当端末装置１０Ｘのオペレータは、実作業終了の所定時間前（本実施例では、実作業終了予定ｔ１分前）に、作業対象設備担当端末装置１０Ｙ１〜１０Ｙｎに対し閉塞中のポート部ｐ００ｎ−Ｃｄｆ−ｏｆｆについて閉塞解除の事前承認を求める。つまり、上述した図２のＢ−２〜Ｂ−５の工程を繰り返して閉塞解除承認の諾否を求める。実作業終了予定のｔ１分前、作業担当のオペレータは、作業担当端末装置１０Ｘを通じて、サーバ１１に閉塞解除承認の依頼を行う（図３の作業当日の実作業中から実作業終了工程ＩＶ参照）。当日作業計画管理部３０は、作業担当端末装置１０Ｘから閉塞解除承認の諾否請求の依頼を受けると、作業計画データベース２３から閉塞対象であって実作業中に閉塞制御された状態の機器Ｉｍｃ−Ｃｄｆ−ｏｆｆとポート部ｐ００ｎ−Ｃｄｆ−ｏｆｆとの情報Ｃｄｆ−ｏｆｆを抽出して、当日承認処理部３１に送出し、当日承認処理部３１は、実作業中で、閉塞制御状態の通信設備を管理する作業対象設備担当端末装置１０Ｙ１〜１０Ｙｎを特定し、この特定情報に基づき、特定された作業対象設備担当端末装置１０Ｙ１〜１０Ｙｎに、実作業中、閉塞制御状態の機器Ｉｍｃ−Ｃｄｆ−ｏｆｆと閉塞制御状態のポート部ｐ００ｎ−Ｃｄｆ−ｏｆｆとの情報Ｃｄｆ−ｏｆｆと停止日時の情報Ｉｄｔ（実作業終了予定時間）を送信し、当該作業対象設備担当端末装置１０Ｙ１〜１０Ｙｎが閉塞解除を承認するか否かの閉塞解除承認要求を行う（図２のＢ−２参照）。作業対象設備担当端末装置１０Ｙ１〜１０Ｙｎは、当日承認処理部３１から閉塞解除承認の諾否を求める情報が送られてきて、該当するその閉塞解除承認の諾否を求める情報を表示すると、これら該当する作業対象設備担当端末装置１０Ｙ１〜１０Ｙｎのオペレータが、自らが所管する通信設備について、閉塞解除を承認するかどうか、内容を確認し、承認の諾否情報Ａｆｙ／ｎを当日承認処理部３１に送信する。そして、当日承認処理部３１は、これら作業対象設備担当端末装置１０Ｙ１〜１０Ｙｎから承認の諾否の情報Ａｆｙ／ｎを受け取ると（図２のＢ−３参照）、この当日作業諾否情報Ａｆｙ／ｎを当日作業計画管理部３０に出力し（図２のＢ−４参照）、当日作業計画管理部３０は、当日承認処理部３１から閉塞解除諾否情報Ａｆｙ／ｎを受け取ると、この諾否の判別結果Ａｆｙ／ｎに基づいて閉塞解除承認または不承認を決定するとともに、閉塞解除の承認または不承認の決定Ａｆｙ、Ａｆｎを作業担当端末装置１０Ｘに送信して表示させる（図２のＢ−５参照）。不承認の決定Ａｆｎの場合、承認が得られるまでＢ−２〜Ｂ−５の工程を繰り返す。
【００８１】
作業担当端末装置１０Ｘのオペレータは、当日作業計画管理部３０から実作業中で、閉塞制御状態の機器Ｉｍｃ−Ｃｄｆ−ｏｆｆとそのポート部ｐ００ｎ−Ｃｄｆ−ｏｆｆを管理する作業対象設備担当端末装置１０Ｙ１〜１０Ｙｎすべてから承認を得た旨の通知を受け取ると、実作業終了確認後、上述した図２のＣ−２〜Ｃ−１９の工程を繰り返して、閉塞制御状態のポート部ｐ００ｎ−Ｃｄｆ−ｏｆｆに対し、回線状態確認の指令、回線状態確認後閉塞解除の指令、閉塞解除後回線状態確認の指令を順に送り、閉塞解除後回線状態を確認すると、回線復旧と見なし、作業終了通知をサーバ１１の作業計画管理部２１に送信し、登録された停止計画情報ＰＬｆによる実作業完了を伝える。作業計画管理部２１は、作業計画データベース２３に作業完了を登録して全作業を終了する。
【００８２】
閉塞制御状態の通信設備Ｉｍｃ−Ｃｄｆ−ｏｆｆと閉塞制御状態のポート部ｐ００ｎ−Ｃｄｆ−ｏｆｆの閉塞解除は、閉塞制御と同様の手順で行われる。すなわち、作業担当端末装置１０Ｘのオペレータは、サーバ１１に回線状態の確認を求め（図２のＣ−２および図３の作業当日の実作業中から実作業終了工程ＩＶ参照）、回線状態結果Ｒｃｎｆ１を得ると（図２のＣ−７参照）、作業担当端末装置１０Ｘのオペレータは、表示された閉塞解除の対象となる通信設備１２の回線状態結果Ｒｃｎｆ１から回線状態が確認された通信設備１２について、サーバ１１に閉塞解除制御実行の要求を行う（図２のＣ−８参照）。当日作業計画管理部３０は、閉塞解除制御実行の要求が送られてくると、閉塞・閉塞解除制御部３５に閉塞解除制御を実行する対象となる機器とポート部の情報Ｃｄｆ−ｏｆｆを送出し（図２のＣ−９参照）、閉塞・閉塞解除制御部３５は、この情報Ｃｄｆ−ｏｆｆを受け取ると、この情報Ｃｄｆ−ｏｆｆに基づいて、制御コマンド生成部３３に閉塞解除制御用のコマンドの生成要求とそのコマンド投入の要求を行い（図２のＣ−１０参照）、制御コマンド生成部３３は、これらの要求を受け取ると、制御コマンド文法データベース３２の情報に基づいて、閉塞解除制御コマンドを生成し、この閉塞解除制御コマンドを対象となる機器Ｉｍｃ−Ｃｄｆ−ｏｆｆとポート部ｐ００ｎ−Ｃｄｆ−ｏｆｆに投入する（図２のＣ−１１参照）。対象となる機器Ｉｍｃ−Ｃｄｆ−ｏｆｆとポート部ｐ００ｎ−Ｃｄｆ−ｏｆｆに閉塞解除制御コマンドが投入されると、機器Ｉｍｃ−Ｃｄｆ−ｏｆｆとそのポート部ｐ００ｎ−Ｃｄｆ−ｏｆｆは閉塞解除され、閉塞解除制御コマンドの投入結果Ｒｃｎｆ２をサーバ１１に送信する（図２のＣ−１２参照）。閉塞・閉塞解除制御部３５は、閉塞解除制御コマンドの投入結果Ｒｃｎｆ２を受け取ると、この投入結果Ｒｃｎｆ２を作業担当端末装置１０Ｘに送信して表示させ（図２のＣ−１３参照）、作業担当端末装置１０Ｘのオペレータは、表示された作業対象となる通信設備１２の閉塞解除制御コマンドの投入結果Ｒｃｎｆ２から閉塞解除制御が実行されたかどうか確認する。
【００８３】
次に、作業担当端末装置１０Ｘのオペレータは、表示された閉塞解除制御コマンドの投入結果Ｒｃｎｆ２から閉塞制御が実行されたかどうか確認すると、再度、閉塞解除実行後の回線状態を確認する。こうして、作業担当端末装置１０Ｘのオペレータは、回線状態を確認する回線状態結果Ｒｃｎｆ３を受け取ると、閉塞解除制御実行後の回線状態を確認することができ、異常がなければ、工事作業者に回線の復旧と実作業完了を知らせる。
【００８４】
このように、上記実施例に係るネットワークの作業管理方法では、人手を介さず停止対象とすべき通信設備の候補が表示されるので、検討する時間を短縮することができ、停止対象とすべき通信設備を決定する作業が迅速化される。また、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の調整が自動化される。
【実施例２】
【００８５】
次に、本発明の第２の実施例に係るネットワークの作業管理システムについて説明する。本実施例に係るネットワークの作業管理システムは、前記第１の実施例に係るネットワークの作業管理システムでは、作業担当端末装置１０Ｘのオペレータが、サーバ１１に作業を開始する旨の通知を送信すると（図２のＣ−１参照）、サーバ１１に回線状態の確認を求め（図２のＣ−２、Ｃ−１４および図３の作業当日の回線状態確認および閉塞作業工程ＩＩＩ参照）、サーバ１１は、回線状態確認部３４と制御コマンド生成部３３とを通じて通信設備１２から回線状態を確認する回線状態結果Ｒｃｎｆ１（Ｒｃｎｆ３）を受け取ると、この回線状態結果Ｒｃｎｆ１（Ｒｃｎｆ３）を作業担当端末装置１０Ｘに送信して表示させるようになっているのに対し（図２のＣ−７、Ｃ−１９参照）、本発明の第２の実施例に係るネットワークの作業管理システムでは、作業担当端末装置１０Ｘのオペレータが、サーバ（センターサーバ）１１１に作業を開始する旨の通知Ｓ−ｐｒを送信すると、サーバ１１１は、作業計画データベース２３からのデータに基づいて作業対象の通信設備１１２にネットワークの運用状態、すなわち、通信設備の設備運用状態、回線状態等の情報を応答するよう求め、作業対象の通信設備１１２から得られた情報に基づいてシステム停止の可能性を判定し、判定結果を作業開始の通知Ｓ−ｐｒを送ってきた作業担当端末装置１０Ｘに送信して表示させるとともに、判定結果を入手した作業担当端末装置１０Ｘのオペレータがサーバ１１１に設備の状態や回線の状態の確認を求めると、サーバ１１１はそれら設備の運用状態や回線状態の情報Ｉ−ａｐ、Ｉ−ｃｂを送信して表示させるようにした点が異なっている。係る構成とすることにより、判定結果に基づいて通信設備停止実行の前後のタイミングで、あるいは、通信設備停止解除実行の前後のタイミングで、リアルタイムでネットワークの健全性を監視することができ、健全性を確認した上で実作業にとりかかることができるようになっている。なお、図中、同一符号は同一または相当部分を示す。
【００８６】
すなわち、第１の実施例に係るネットワークの作業管理システムでは、図１および図２に示すように、センターサーバ１１は運用管理系システム部１１Ａと監視制御系システム部１１Ｂとを備え、監視制御系システム部１１Ｂが、作業計画データベース２３と、当日作業計画管理部３０と、当日承認処理部３１と、制御コマンド文法データベース３２と、制御コマンド生成部３３と、回線状態確認部３４と、閉塞・閉塞解除制御部３５とを備えて構成されるのに対し、第２の実施例に係るサーバ１１１は、図１０および図１１に示すように、運用管理系システム部１１Ａと監視制御系システム部１１１Ｂとを備えて構成される点が異なっている。第２の実施例に係るネットワークの作業管理システムの監視制御系システム部１１１Ｂは、作業計画データベース（データベース）２３と、当日作業計画管理部（当日作業計画管理手段）１３０と、制御コマンド文法データベース（制御コマンド生成手段）１３２と、制御コマンド生成部（制御コマンド生成手段）１３３と、閉塞・閉塞解除制御部（停止・停止解除制御手段）１３５と、設備運用状態管理部（設備運用状態管理手段）１４０と、設備運用状態管理データベース１４１と、回線状態管理部（回線状態管理手段）１４２と、回線状態管理データベース１４３と、システム停止管理部（システム停止管理手段）１４４と、システム停止判定部（システム停止判定手段）１４５と、設備設定管理部（設備設定管理手段）１４６と、経路確認部（経路確認手段）１４７とを備えて構成される。通信設備１１２は、インターネットプロトコルを有し、サーバ１１１からの指令に基づいて、通信設備１１２の状態の情報をサーバ１１１に送信する通信設備状態情報送信部（通信設備状態情報送信手段）１１２Ａを備えている。
【００８７】
当日作業計画管理部１３０は、第１の実施例の当日作業計画管理部３０の構成に加え、作業担当端末装置１０Ｘから、停止作業の当日、最終的な登録済み停止計画情報ＰＬｆ（Ｉｄｔ，Ｉｍｃ）に基づいて、当該停止作業開始の所定時間ｔ２（ｔ２は例えば、３０分、６０分等）前に作業開始の通知Ｓ−ｐｒを受け取ると（図１１のＤ−１参照）、作業計画データベース２３から登録された停止計画情報ＰＬｆを取り出し、作業開始の通知情報Ｓ−ｐｒとこの停止計画情報ＰＬｆを、システム停止管理部１４４に出力するようになっている（図１１のＤ−２参照）。また、当日作業計画管理部１３０は、作業担当端末装置１０Ｘから設備運用状態の情報（通信設備の状態の情報）を要求する照会要求ＲＱ１を受け取ると（図１１のＤ−５参照）、その照会要求ＲＱ１を停止計画情報ＰＬｆとともに設備運用状態管理部１４０に送出するようになっている（図１１のＤ−６参照）。さらに当日作業計画管理部１３０は、作業担当端末装置１０Ｘから回線状態の情報（通信設備の状態の情報）を要求する照会要求ＲＱ２を受け取ると（図１１のＤ−１１参照）、その照会要求ＲＱ２を停止計画情報ＰＬｆとともに回線状態管理部１４２に送出するようになっている（図１１のＤ−１２参照）。また、当日作業計画管理部１３０は、作業担当端末装置１０Ｘから作業対象となる機器Ｉｍｃ−Ｃｄｆまたはポート部ｐ００ｎ−Ｃｄｆについて閉塞（停止）または閉塞解除（停止解除）を要求する指令ＲＱ３、ＲＱ４を受け取ると（図１１のＤ−２７参照）、この指令ＲＱ３、ＲＱ４を閉塞・閉塞解除制御部１３５に送出するようになっている（図１１のＤ−２８参照）。さらに、当日作業計画管理部１３０は、作業担当端末装置１０Ｘからシステム停止判定の照会要求ＲＱ７を受け取ると（図１１のＥ−１参照）、作業計画データベース２３から取り出された停止計画情報ＰＬｆを取り出し、システム停止判定要求の照会要求情報ＲＱ７とをシステム停止管理部１４４に出力するようになっている（図１１のＥ−２参照）。
【００８８】
制御コマンド生成部１３３は、当日作業計画管理部１３０から設備運用状態管理部１４０を通じて設備運用状態の情報を要求する照会要求ＲＱ１が送られてくると（図１１のＤ−７参照）、制御コマンドを生成する文法が格納された制御コマンド文法データベース１３２により設備運用状態の情報を要求する通信設備状態情報要求コマンドを生成し、この通信設備状態情報要求コマンドを該当する通信設備１１２に投入するようになっている（図１１のＤ−８参照）。また、制御コマンド生成部１３３は、当日作業計画管理部１３０から回線状態管理部１４２を通じて回線状態の情報を要求する照会要求ＲＱ２が送られてくると（図１１のＤ−１３参照）、制御コマンド文法データベース１３２により回線状態の情報を要求する回線状態情報要求コマンドを生成し、この回線状態情報要求コマンドを該当する通信設備１１２に投入するようになっている（図１１のＤ−１４参照）。さらに、制御コマンド生成部１３３は、作業担当端末装置１０Ｘから設備設定管理部１４６を通じて作業対象の通信設備に関して設備の設定について照会要求ＲＱ５を受け取ると（図１１のＤ−１８参照）、当該作業対象通信設備１１２に対して設備の設定状況を回答するよう求める設備設定状況情報要求コマンドを生成し、この設備設定状況情報要求コマンドを該当する通信設備１１２に投入するようになっている（図１１のＤ−１９参照）。また、制御コマンド生成部１３３は、作業担当端末装置１０Ｘから経路確認部１４７を通じて作業対象設備を経由する始端設備情報と終端設備情報とに基づいて作業対象の通信設備に関して経路の照会要求ＲＱ６を受け取ると（図１１のＤ−２３参照）、当該作業対象通信設備１１２に対して経路の状況を回答するよう求める経路情報要求コマンドを生成し、この経路情報要求コマンドを該当する通信設備１１２に投入するようになっている（図１１のＤ−２４参照）。さらに、制御コマンド生成部１３３は、閉塞・閉塞解除制御部１３５から作業対象通信設備１１２に対する閉塞要求の指令を受け取ると（図１１のＤ−２９参照）、当該作業対象通信設備１１２に対して閉塞制御のコマンドを生成し、この閉塞制御コマンドを該当する通信設備１１２に投入するようになっている（図１１のＤ−３０参照）。また、制御コマンド生成部１３３は、閉塞・閉塞解除制御部１３５から作業対象通信設備１１２に対する閉塞解除要求の指令を受け取ると（図１１のＤ−２９参照）、当該作業対象通信設備１１２に対して閉塞解除制御のコマンドを生成し、この閉塞解除制御コマンドを該当する通信設備１１２に投入するようになっている（図１１のＤ−３０参照）。
【００８９】
閉塞・閉塞解除制御部１３５は、作業担当端末装置１０Ｘから当日作業計画管理部１３０を通じて作業対象となる機器Ｉｍｃ−Ｃｄｆまたはポート部ｐ００ｎ−Ｃｄｆについて閉塞（停止）を要求する指令ＲＱ３を受け取ると（図１１のＤ−２８参照）、この指令ＲＱ３に基づいて制御コマンド生成部１３３に閉塞要求コマンドを生成するように指令するとともに（図１１のＤ−２９参照）、当日作業計画管理部１３０を通じて閉塞解除（停止解除）を要求する指令ＲＱ４を受け取ると（図１１のＤ−２８参照）、この指令ＲＱ４に基づいて制御コマンド生成部１３３に閉塞解除要求コマンドを生成するよう指令するようになっている（図１１のＤ−２９参照）。また、閉塞・閉塞解除制御部１３５は、作業対象の通信設備１１２が制御コマンド生成部１３３から閉塞制御コマンドを受け取り、閉塞制御コマンドの投入結果、すなわち、閉塞実行の結果Ｒｃｎｆ２−ｃをサーバ１１１に返信すると（図１１のＤ−３１参照）、この閉塞実行の結果を作業担当端末装置１０Ｘに送信して表示させるとともに、設備運用状態管理データベース１４１と回線状態管理データベース１４３とに格納させるようになっている（図１１のＤ−３２参照）。さらに、閉塞・閉塞解除制御部１３５は、作業対象の通信設備１１２が制御コマンド生成部１３３から閉塞解除制御コマンドを受け取り、閉塞解除制御コマンドの投入結果、すなわち、閉塞解除実行の結果Ｒｃｎｆ２−ｒをサーバ１１１に返信すると（図１１のＤ−３１参照）、この閉塞解除実行の結果を作業担当端末装置１０Ｘに送信して表示させるとともに、設備運用状態管理データベース１４１と回線状態管理データベース１４３とに格納させるようになっている（図１１のＤ−３２参照）。
【００９０】
設備運用状態管理部１４０は、作業担当端末装置１０Ｘからの設備運用状態情報を要求する照会要求ＲＱ１に基づいて当日作業計画管理部１３０を通じて作業計画データベース２３から作業対象設備情報を受け取ると（図１１のＤ−６参照）、制御コマンド生成部１３３に通信設備状態情報要求コマンドを生成するよう要求するようになっている（図１１のＤ−７参照）。また、設備運用状態管理部１４０は、通信設備１１２が制御コマンド生成部１３３から受け取った通信設備状態情報要求コマンドに基づいて通信設備状態の情報Ｉ−ａｐをサーバ１１１に送信すると、その通信設備状態の情報Ｉ−ａｐを設備運用状態管理データベース１４１に書き込むとともに照会要求ＲＱ１のあった作業担当端末装置１０Ｘに送信して表示させるようになっている（図１１のＤ−１０参照）。
【００９１】
回線状態管理部１４２は、作業担当端末装置１０Ｘからの回線状態情報を要求する照会要求ＲＱ２に基づいて当日作業計画管理部１３０を通じて作業計画データベース２３から作業対象回線情報を受け取ると（図１１のＤ−１２参照）、制御コマンド生成部１３３に回線状態情報要求コマンドを生成するよう要求するようになっている（図１１のＤ−１３参照）。また、回線状態管理部１４２は、通信設備１１２が制御コマンド生成部１３３から受け取った回線状態情報要求コマンドに基づいて回線状態の情報Ｉ−ｃｂをサーバ１１１に送信すると、その回線状態の情報Ｉ−ｃｂを回線状態管理データベース１４３に書き込むとともに照会要求ＲＱ２のあった作業担当端末装置１０Ｘに送信して表示させるようになっている（図１１のＤ−１６参照）。
【００９２】
ところで、第２の実施例に係るネットワークの作業管理システムでは、システム停止管理部１４４は、作業担当端末装置１０Ｘから作業開始の通知情報Ｓ−ｐｒまたは照会要求ＲＱ７を当日作業計画管理部１３０を通じて受け取ると、設備運用状態管理部１４０の設備運用状態管理データベース１４１と回線状態管理部１４２の回線状態管理データベース１４３とにそれぞれ設備運用状態の情報Ｉ−ａｐと回線状態の情報Ｉ−ｃｂとを要求し（図１１のＤ−２、Ｅ−２参照）、設備運用状態管理データベース１４１と回線状態管理データベース１４３とからそれぞれ設備運用状態の情報Ｉ−ａｐと回線状態の情報Ｉ−ｃｂとを受け取ると、当日作業計画管理部１３０を通じて作業計画データベース２３から取り出した登録済み停止計画情報ＰＬｆとこれら設備運用状態の情報Ｉ−ａｐと回線状態の情報Ｉ−ｃｂとをシステム停止判定部１４５に送出するようになっている（図１１のＤ−３、Ｅ−３参照）。システム停止判定部１４５は、システム停止管理部１４４から停止計画情報ＰＬｆと設備運用状態の情報Ｉ−ａｐと回線状態の情報Ｉ−ｃｂとを受け取ると、これら停止計画情報ＰＬｆと設備運用状態の情報Ｉ−ａｐと回線状態の情報Ｉ−ｃｂとに基づいてネットワークのシステム停止判定を行い、その判定結果がシステム停止の可能性ありの判定結果ＳＤ−ｙの場合、このシステム停止の可能性ありの判定結果ＳＤ−ｙを作業開始通知Ｓ−ｐｒをサーバ１１１に送信してきた作業担当端末装置１０Ｘに送信して音声で通報をおこなうとともに表示させるようになっている（図１１のＤ−４参照）。システム停止判定部１４５は、ネットワークのシステム停止判定の結果がシステム停止の可能性なしの判定結果ＳＤ−ｎの場合も、この判定結果ＳＤ−ｎを当該作業担当端末装置１０Ｘに送信して表示させるようになっている。    
【００９３】
設備設定管理部１４６は、作業担当端末装置１０Ｘから作業対象設備の設備設定状態の情報を要求する照会要求ＲＱ５が送信されてくると（図１１のＤ−１７参照）、制御コマンド生成部１３３に設備設定状態の情報要求コマンドを生成するよう要求するようになっている（図１１のＤ−１８参照）。また、設備設定管理部１４６は、通信設備１１２が制御コマンド生成部１３３から受け取った設備設定状態情報要求コマンドに基づいて設備設定状態の情報Ｉ−ｓｅｔをサーバ１１１に送信すると（図１１のＤ−２０参照）、その通信設備状態の情報Ｉ−ｓｅｔを照会要求ＲＱ５のあった作業担当端末装置１０Ｘに送信して表示させるようになっている（図１１のＤ−２１参照）。経路確認部１４７は、作業担当端末装置１０Ｘから作業対象通信設備に対して始端設備情報と終端設備情報とを特定して、経路の状態を照会するよう要求する照会要求ＲＱ６が送信されてくると（図１１のＤ−２２参照）、制御コマンド生成部１３３に回線の経路状態情報要求コマンドを生成するよう要求するようになっている（図１１のＤ−２３参照）。また、経路確認部１４７は、通信設備１１２が制御コマンド生成部１３３から受け取った経路状態情報要求コマンドに基づいて経路状態の情報Ｉ−ｐａｔｈをサーバ１１１に送信すると（図１１のＤ−２５参照）、その経路状態の情報Ｉ−ｐａｔｈを照会要求ＲＱ６のあった作業担当端末装置１０Ｘに送信して表示させるようになっている（図１１のＤ−２６参照）。
【００９４】
通信設備１１２の通信設備状態情報送信部１１２Ａは、制御コマンド生成部１３３から閉塞制御コマンドを受け取ると（図１１のＤ−３０参照）、閉塞を実行し、閉塞制御コマンドの投入結果、すなわち、閉塞実行の結果Ｒｃｎｆ２−ｃをサーバ１１１に送信するようになっている（図１１のＤ−３１参照）。また、通信設備状態情報送信部１１２Ａは、制御コマンド生成部１３３から閉塞解除制御コマンドを受け取ると（図１１のＤ−３０参照）、閉塞の解除を実行し、閉塞解除制御コマンドの投入結果、すなわち、閉塞解除実行の結果Ｒｃｎｆ２−ｒをサーバ１１１に送信するようになっている（図１１のＤ−３１参照）。さらに、通信設備状態情報送信部１１２Ａは、制御コマンド生成部１３３から通信設備状態情報要求コマンドを受け取ると（図１１のＤ−８参照）、この通信設備状態情報要求コマンドに基づいて通信設備状態の情報Ｉ−ａｐをサーバ１１１に送信するようになっている（図１１のＤ−９参照）。また、通信設備状態情報送信部１１２Ａは、制御コマンド生成部１３３から回線状態情報要求コマンドを受け取ると（図１１のＤ−１４参照）、この回線状態情報要求コマンドに基づいて回線状態の情報Ｉ−ｃｂをサーバ１１１に送信するようになっている（図１１のＤ−１５参照）。さらに、通信設備状態情報送信部１１２Ａは、制御コマンド生成部１３３から設備設定状況情報要求コマンドを受け取ると（図１１のＤ−１９参照）、この設備設定状況情報要求コマンドに基づいて設備の設定状態の情報Ｉ−ｓｅｔをサーバ１１１に送信するようになっている（図１１のＤ−２０参照）。また、通信設備状態情報送信部１１２Ａは、制御コマンド生成部１３３から経路情報要求コマンドを受け取ると（図１１のＤ−２４参照）、この経路情報要求コマンドに基づいて経路状態の情報Ｉ−ｐａｔｈをサーバ１１１に送信するようになっている（図１１のＤ−２５参照）。
【００９５】
次に、本発明の第２の実施例に係るネットワークの作業管理方法について、上記第２の実施例に係るネットワークの作業管理システムの作用に基づいて説明する。
まず、当日作業前に、作業担当者が作業担当端末装置１０Ｘを通じて、作業対象設備担当端末装置１０Ｙから承認を受け登録された停止計画情報ＰＬｆについて、サーバ１１１に予定時刻をもって作業を開始する旨の通知Ｓ−ｐｒを所定時間ｔ２前に送信すると（図１１のＤ−１および図１２の作業当日の作業開始前工程ＩＩ参照）、サーバ１１１の当日作業計画管理部１３０は作業担当端末装置１０Ｘからの通知Ｓ−ｐｒを受け取る。当日作業計画管理部１３０は通知Ｓ−ｐｒを受け取ると、作業計画データベース２３から登録された停止計画情報ＰＬｆを取り出し、作業開始の通知情報Ｓ−ｐｒとこの停止計画情報ＰＬｆをシステム停止管理部１４４に送出する。システム停止管理部１４４は、当日作業計画管理部１３０から作業開始の情報Ｓ−ｐｒおよび停止計画情報ＰＬｆを、設備運用状態管理部１４０の設備運用状態管理データベース１４１から設備運用状態の情報Ｉ−ａｐを、回線状態管理部１４２の回線状態管理データベース１４３から回線状態の情報Ｉ−ｃｂをそれぞれ受け取ると（図１１のＤ−２および図１２の作業当日の通信設備状態確認および閉塞作業工程ＩＩＩ参照）、これら停止計画情報ＰＬｆと設備運用状態の情報Ｉ−ａｐと回線状態の情報Ｉ−ｃｂとをシステム停止判定部１４５に送出する（図１１のＤ−３参照）。システム停止判定部１４５は、これら停止計画情報ＰＬｆと設備運用状態の情報Ｉ−ａｐと回線状態の情報Ｉ−ｃｂとに基づいてネットワークのシステム停止判定を行い、その判定結果がシステム停止の可能性ありの判定結果ＳＤ−ｙの場合、このシステム停止の判定結果ＳＤ−ｙを作業開始通知Ｓ−ｐｒをサーバ１１１に送信してきた作業担当端末装置１０Ｘに送信して音声通報するとともに表示させる（図１１のＤ−４参照）。判定結果がシステム停止の可能性なしの判定結果ＳＤ−ｎの場合も、このシステム停止の判定結果ＳＤ−ｎを作業開始通知Ｓ−ｐｒをサーバ１１１に送信してきた作業担当端末装置１０Ｘに送信して表示させる。
【００９６】
作業開始通知Ｓ−ｐｒをサーバ１１１に送信してこれから作業を開始しようとしている作業担当端末装置１０Ｘのオペレータは、システム停止の可能性ありの判定結果ＳＤ−ｙを表示端末１０Ｂで確認すると、システム停止の可能性がどういう理由によるものか、照会要求ＲＱ１・ＲＱ２、ＲＱ５・ＲＱ６を行い、作業対象の通信設備の設備運用状態、回線状態、設備の設定状態、始端設備−終端設備の指定に基づく経路状態を確認しつつ、停止計画情報ＰＬｆに基づく停止作業について、通信設備１１２に対し閉塞実行または閉塞解除実行を行うことができるようになっている。
【００９７】
すなわち、作業担当端末装置１０Ｘのオペレータは、サーバ１１１からシステム停止の可能性ありの判定結果ＳＤ−ｙを受け取ると、設備運用状態情報を要求する照会要求ＲＱ１をサーバ１１１に送信し、設備運用状態の確認を求める。サーバ１１１の当日作業計画管理部１３０は、作業担当端末装置１０Ｘから照会要求ＲＱ１を受け取ると（図１１のＤ−５参照）、状態確認が必要な設備の情報を作業担当端末装置１０Ｘに提供するため、作業計画データベース２３から取り出した停止計画情報ＰＬｆを設備運用状態管理部１４０に送出する（図１１のＤ−６参照）。設備運用状態管理部１４０は、停止計画情報ＰＬｆに基づいて制御コマンド生成部１３３に通信設備状態情報要求コマンドを生成して投入するよう要求し（図１１のＤ−７参照）、制御コマンド生成部１３３は生成した通信設備状態情報要求コマンドを該当する通信設備１１２に投入する（図１１のＤ−８参照）。通信設備１１２はサーバ１１１から通信設備状態情報要求コマンドを受け取ると、通信設備状態情報送信部１１２Ａにより通信設備状態情報要求コマンドに基づいて通信設備状態の情報Ｉ−ａｐをサーバ１１１に送信する。サーバ１１１が設備運用状態の情報Ｉ−ａｐを受け取ると（図１１のＤ−９参照）、設備運用状態管理部１４０は受け取った通信設備の状態の情報Ｉ−ａｐを照会要求ＲＱ１のあった作業担当端末装置１０Ｘに送信して表示させるとともに設備運用状態管理データベース１４１に書き込む（図１１のＤ−１０参照）。このため、作業担当端末装置１０Ｘには、通信設備状態の情報Ｉ−ａｐが表示されるので、作業担当端末装置１０Ｘのオペレータは、設備の運用状態からシステム停止の理由となる状況を把握し、ネットワークの健全性を確認して作業を開始することができる。
【００９８】
同様に、作業担当端末装置１０Ｘにシステム停止の可能性ありの判定結果ＳＤ−ｙが表示されると、オペレータは、照会要求ＲＱ２をサーバ１１１に送信し、回線状態の確認を求めることもできる。すなわち、作業担当端末装置１０Ｘのオペレータは、回線状態情報を要求する照会要求ＲＱ２をサーバ１１１に送信し、回線状態の確認を求める。サーバ１１１の当日作業計画管理部１３０は、作業担当端末装置１０Ｘから照会要求ＲＱ２を受け取ると（図１１のＤ−１１参照）、状態確認が必要な回線の情報を作業担当端末装置１０Ｘに提供するため、作業計画データベース２３から取り出した停止計画情報ＰＬｆを回線状態管理部１４２に送出する（図１１のＤ−１２参照）。回線状態管理部１４２は、停止計画情報ＰＬｆに基づいて制御コマンド生成部１３３に回線状態情報要求コマンドを生成して投入するよう要求し（図１１のＤ−１３参照）、制御コマンド生成部１３３は生成した回線状態情報要求コマンドを該当する通信設備１１２に投入する（図１１のＤ−１４参照）。通信設備１１２はサーバ１１１から回線状態情報要求コマンドを受け取ると、通信設備状態情報送信部１１２Ａにより回線状態情報要求コマンドに基づいて回線状態の情報Ｉ−ｃｂをサーバ１１１に送信する。サーバ１１１が回線状態の情報Ｉ−ｃｂを受け取ると（図１１のＤ−１５参照）、回線状態管理部１４２は受け取った回線状態の情報Ｉ−ｃｂを照会要求ＲＱ２のあった作業担当端末装置１０Ｘに送信して表示させるとともに回線状態管理データベース１４３に書き込む（図１１のＤ−１６参照）。このため、作業担当端末装置１０Ｘには回線状態の情報Ｉ−ｃｂが表示されるので、作業担当端末装置１０Ｘのオペレータは、回線状態からシステム停止の理由となる状況を把握し、ネットワークの健全性を確認して作業を開始することができる。
【００９９】
設備運用状態管理部１４０の設備運用状態管理データベース１４１と回線状態管理部１４２の回線状態管理データベース１４３とにはそれぞれ、通信設備状態情報Ｉ−ａｐと回線状態情報Ｉ−ｃｂとが照会の度に格納されるので、システム停止管理部１４４は、登録された停止計画情報ＰＬｆに加えてリアルタイムで最新の情報を参照してシステム停止判定部１４５にシステムの停止判定を行わせることができ、システム停止判定の精度が向上する。
【０１００】
さらに、作業担当端末装置１０Ｘのオペレータは、サーバ１１１から通信設備状態の情報Ｉ−ａｐや回線状態の情報Ｉ−ｃｂを受け取ると、これらの情報Ｉ−ａｐ、Ｉ−ｃｂに基づいて、より具体的に設備の設定状態や、作業対象設備を経由する始端設備と終端設備を抽出させて経路を確認することができるようになっている。設備の設定状態を確認する場合、作業担当端末装置１０Ｘのオペレータは、画面端末１０Ｂに表示された通信設備状態情報Ｉ−ａｐや回線状態情報Ｉ−ｃｂにより、ある設備について設定状態の確認を求める照会要求ＲＱ５をサーバ１１１に送信すると（図１１のＤ−１７参照）、設備設定管理部１４６は、受け取った設備の情報に基づいて、制御コマンド生成部１３３に設備設定状態情報要求コマンドを生成するよう要求し（図１１のＤ−１８参照）、制御コマンド生成部１３３は生成した設備設定状態情報要求コマンドを該当する通信設備１１２に投入する（図１１のＤ−１９参照）。通信設備１１２はサーバ１１１から設備設定状態情報要求コマンドを受け取ると、通信設備状態情報送信部１１２Ａにより設備設定状態情報要求コマンドに基づいて設備の設定状態の情報Ｉ−ｓｅｔをサーバ１１１に送信する。サーバ１１１が設定状態の情報Ｉ−ｓｅｔを受け取ると（図１１のＤ−２０参照）、設備設定管理部１４６は受け取った設備設定状態の情報Ｉ−ｓｅｔを照会要求ＲＱ５のあった作業担当端末装置１０Ｘに送信して表示させる（図１１のＤ−２１参照）。このため、作業担当端末装置１０Ｘには設備の設定状態の情報Ｉ−ｓｅｔが表示されるので、作業担当端末装置１０Ｘのオペレータは、設備の設定状態からシステム停止の理由となる状況（ネットワークの健全性）を把握することができ、それを確認して作業を開始することができる。  
【０１０１】
また、作業担当端末装置１０Ｘのオペレータは、経路の状態を確認する場合、画面端末１０Ｂに表示された通信設備状態情報Ｉ−ａｐや回線状態情報Ｉ−ｃｂにより、ある作業対象設備を経由する始端設備の情報と終端設備との情報を入力し、経路状態の確認を求める照会要求ＲＱ６をサーバ１１１に送信すると（図１１のＤ−２２参照）、経路確認部１４７は、受け取った始端設備の情報と終端設備の情報とに基づいて、制御コマンド生成部１３３に経路状態情報要求コマンドを生成するよう要求し（図１１のＤ−２３参照）、制御コマンド生成部１３３は生成した経路状態情報要求コマンドを該当する通信設備１１２に投入する（図１１のＤ−２４参照）。通信設備１１２はサーバ１１１から経路状態情報要求コマンドを受け取ると、通信設備状態情報送信部１１２Ａにより経路状態情報要求コマンドに基づいて経路の状態情報Ｉ−ｐａｔｈをサーバ１１１に送信する。サーバ１１１が経路の状態情報Ｉ−ｐａｔｈを受け取ると（図１１のＤ−２５参照）、経路確認部１４７は受け取った経路の状態情報Ｉ−ｐａｔｈを照会要求ＲＱ６のあった作業担当端末装置１０Ｘに送信して表示させる（図１１のＤ−２６参照）。このため、作業担当端末装置１０Ｘには作業対象設備を経由する経路の状態情報Ｉ−ｐａｔｈが表示されるので、作業担当端末装置１０Ｘのオペレータは、経路の状態からシステム停止の理由となる状況（ネットワークの健全性）を把握することができ、それを確認して作業を開始することができる。
【０１０２】
さらに、作業担当端末装置１０Ｘのオペレータは、表示された各種情報Ｉ−ａｐ、Ｉ−ｃｂ、Ｉ−ｓｅｔ、Ｉ−ｐａｔｈを確認し問題がなければ、作業対象となる機器Ｉｍｃ−Ｃｄｆまたはポート部ｐ００ｎ−Ｃｄｆについて閉塞制御の実行を要求する指令ＲＱ３をサーバ１１１に送信する（図１１のＤ−２７参照）。当日作業計画管理部１３０は作業計画データベース２３から停止計画情報ＰＬｆを取り出して必要な通信設備の情報を指令ＲＱ３の情報とともに閉塞・閉塞解除制御部１３５に送出する（図１１のＤ−２８参照）。閉塞・閉塞解除制御部１３５は、閉塞対象となる機器Ｉｍｃ−Ｃｄｆのポート部ｐ００ｎ−Ｃｄｆについて制御コマンド生成部１３３に対して閉塞制御のコマンドを生成して投入するよう要求し（図１１のＤ−２９参照）、制御コマンド生成部１３３は受け取った通信設備の情報に基づいて生成した閉塞制御コマンドを該当する通信設備１１２に投入する（図１１のＤ−３０参照）。閉塞制御コマンドを受け取った通信設備１１２は、通信設備状態情報送信部１１２Ａが、作業対象となる機器Ｉｍｃ−Ｃｄｆのポート部ｐ００ｎ−Ｃｄｆについて閉塞を実行し、閉塞制御コマンドの投入結果、すなわち、閉塞実行の結果Ｒｃｎｆ２−ｃをサーバ１１１に送信する（図１１のＤ−３１参照）。サーバ１１１は閉塞実行の結果Ｒｃｎｆ２−ｃを受け取ると、閉塞・閉塞解除制御部１３５がこの閉塞実行の結果Ｒｃｎｆ２−ｃを作業担当端末装置１０Ｘに送信して表示させるとともに、設備運用状態管理データベース１４１と回線状態管理データベース１４３とに格納させる（図１１のＤ−３２参照）。
【０１０３】
閉塞実行の結果Ｒｃｎｆ２−ｃが作業担当端末装置１０Ｘに表示されると、次に、作業担当端末装置１０Ｘのオペレータは、再び、照会要求ＲＱ１、ＲＱ２、ＲＱ５、ＲＱ６をサーバ１１１に送信し、上述と同様の過程（図１１のＤ−５〜Ｄ−２６参照）を経て閉塞実行後の通信設備状態情報Ｉ−ａｐや回線状態情報Ｉ−ｃｂ、設備設定状態情報Ｉ−ｓｅｔや経路状態情報Ｉ−ｐａｔｈを確認する。通信設備閉塞実行後のこれら各種情報Ｉ−ａｐ、Ｉ−ｃｂ、Ｉ−ｓｅｔ、Ｉ−ｐａｔｈを確認し異常や問題がなければ、すなわち、実作業開始前に、閉塞実行のシミュレーションを行ってネットワークの健全性に問題がなければ、作業担当端末装置１０Ｘのオペレータはサーバ１１１に対して作業開始を要求し、実作業を開始する（図１２の工程ＩＩＩのＳＴＡＲＴ参照）。
【０１０４】
実作業が終了する所定時間ｔ１前になると、サーバ１１１は閉塞解除の承認を作業対象設備担当端末装置１０Ｙから得る（第１の実施例における図３の作業当日の実作業中から実作業終了工程ＩＶのＢ−１〜Ｂ−５参照、図１２の作業当日の実作業中から実作業終了工程ＩＶ参照）。そして、作業担当端末装置１０Ｘのオペレータは、実作業が終了すると（図１２の工程ＩＶのＦＩＮＩＳＨ参照）、閉塞解除制御の実行を要求する指令ＲＱ４をサーバ１１１に送信する（図１１のＤ−２７参照）。当日作業計画管理部１３０は作業計画データベース２３から必要な通信設備の情報を指令ＲＱ４の情報とともに閉塞・閉塞解除制御部１３５に送出する（図１１のＤ−２８参照）。閉塞・閉塞解除制御部１３５は、閉塞解除対象となる機器Ｉｍｃ−Ｃｄｆのポート部ｐ００ｎ−Ｃｄｆについて制御コマンド生成部１３３に対して閉塞解除制御のコマンドを生成して投入するよう要求し（図１１のＤ−２９参照）、制御コマンド生成部１３３は受け取った通信設備の情報に基づいて生成した閉塞解除制御コマンドを該当する通信設備１１２に投入する（図１１のＤ−３０参照）。閉塞解除制御コマンドを受け取った通信設備１１２は、通信設備状態情報送信部１１２Ａが、作業対象となる機器Ｉｍｃ−Ｃｄｆのポート部ｐ００ｎ−Ｃｄｆについて閉塞解除を実行し、閉塞解除制御コマンドの投入結果、すなわち、閉塞実行の結果Ｒｃｎｆ２−ｒをサーバ１１１に送信する（図１１のＤ−３１参照）。サーバ１１１は閉塞解除実行の結果Ｒｃｎｆ２−ｒを受け取ると、閉塞・閉塞解除制御部１３５がこの閉塞解除実行の結果Ｒｃｎｆ２−ｒを作業担当端末装置１０Ｘに送信して表示させるとともに、設備運用状態管理データベース１４１と回線状態管理データベース１４３とに格納させる（図１１のＤ−３２参照）。
【０１０５】
作業担当端末装置１０Ｘのオペレータは、サーバ１１１の閉塞・閉塞解除制御部１３５から受け取り画像端末１０Ｂに表示された閉塞解除実行の結果Ｒｃｎｆ２−ｒを確認すると、その時点でのシステムの健全性を確認するため、サーバ１１１にシステム停止判定の照会要求ＲＱ７を送信する（図１１のＥ−１参照）。サーバ１１１の当日作業計画管理部１３０は作業担当端末装置１０Ｘからの照会要求ＲＱ７を受け取ると、作業計画データベース２３から取り出された停止計画情報ＰＬｆと、システム停止判定要求の照会要求情報ＲＱ７とをシステム停止管理部１４４に送出する。システム停止管理部１４４は当日作業計画管理部１３０より照会要求の情報を受け取ると、閉塞解除実行の結果Ｒｃｎｆ２−ｒがそれぞれ格納された設備運用状態管理データベース１４１から現時点での設備運用状態の情報Ｉ−ａｐを、回線状態管理データベース１４３から現時点での回線状態の情報Ｉ−ｃｂとをそれぞれ受け取ると（図１１のＥ−２参照）、これら設備運用状態の情報Ｉ−ａｐと回線状態の情報Ｉ−ｃｂとをシステム停止判定部１４５に送出する（図１１のＥ−３参照）。システム停止判定部１４５は、これら現時点での設備運用状態の情報Ｉ−ａｐと回線状態の情報Ｉ−ｃｂとに基づいてネットワークのシステム停止判定を行い、その判定結果がシステム停止の可能性ありの判定結果ＳＤ−ｙの場合、このシステム停止の判定結果ＳＤ−ｙを照会要求ＲＱ７をサーバ１１１に送信してきた作業担当端末装置１０Ｘに送信して音声通報するとともに表示させる（図１１のＥ−４参照）。作業担当端末装置１０Ｘは、システム停止の可能性ありの判定結果ＳＤ−ｙを受け取ると、照会要求ＲＱ１〜ＲＱ２、ＲＱ５〜ＲＱ６をサーバ１１１に送信し、通信設備状態の情報Ｉ−ａｐや回線状態の情報Ｉ−ｃｂ、設備の設定状態の情報Ｉ−ｓｅｔや作業対象設備を経由する経路の状態情報Ｉ−ｐａｔｈを入手することができ（図１１のＤ−５〜Ｄ−２６参照）、作業担当端末装置１０Ｘのオペレータは、設備の設定状態からシステム停止の理由となる状況（ネットワークの健全性）を把握することができ、それを確認して停止計画に基づいた作業を終了することができる（図１２のＥ−５参照）。
【０１０６】
このように、第２の実施例に係るネットワークの管理作業システムとその方法では、作業担当端末装置１０Ｘのオペレータは、システム停止の可能性ありの判定結果を受け取ってもネットワークの通信設備の運用状態を把握することができるので、システム停止を避けて停止作業を実行することができる。また、システム停止の判定も通信設備の運用状態や閉塞実行または閉塞解除の情報も反映させた最新の情報に基づいて行われるので、リアルタイムの情報に基づいて判定が行われ精度が向上する。
【０１０７】
なお、上記実施例では、作業対象となる通信設備１２の閉塞制御および閉塞解除制御を機器Ｉｍｃとポート部ｐ００ｎについて行うようにしているが、これに限られるものではなく、機器Ｉｍｃ（ルータ、スイッチ、伝送装置等のＩＰ機器）自体を停止または停止解除するようにしてもよいし、機器Ｉｍｃと他の機器のポート部ｐ００ｎとの両者を停止または停止解除するようにしてもよいことはいうまでもない。また、作業対象設備担当端末装置抽出手段が、作業担当端末装置１０Ｘにより作業対象候補の中から選択された機器またはポート部の選択結果に基づいて、作業対象設備担当端末装置１０Ｙを抽出するようにしているがこれに限られるものではなく、作業計画管理部２１に作業担当端末装置１０Ｘから停止計画ＰＬが入力されると、この停止計画ＰＬに基づいて、構成管理データベース２２から停止計画ＰＬに含まれる停止予定設備を保守担当域に有する作業対象設備担当端末装置１０Ｙを抽出するようにしてもよい。この場合、停止計画ＰＬのうち、当該作業対象設備担当端末装置１０Ｙに関する情報も添付して送信するようにしてもよい。さらに、物理網・論理網・局内構成図描画部２４は、物理網構成図、論理網構成図および局内構成図を描画処理するようにしているが、これに限られるものではなく、物理網構成図、論理網構成図および局内構成図のうち少なくともいずれか１を描画処理するようにしてもよい。また、上記実施例では、作業担当端末装置１０Ｘを所定の保守担当域を所管する端末装置としているが、これに限られるものではなく、保守担当域を有していない端末装置であってもよいことはいうまでもない。さらに、上記実施例では、オペレータが、ポート部の候補に対してマニュアルで閉塞順序を選択することができるようにしているがこれに限られるものではなく、階層の位に応じて、閉塞候補の閉塞順序を決定する閉塞順位決定手段を設けるようにしてもよい。また、上記実施例のネットワークは、通信ネットワークについて述べているが、これに限られるものではなく、ネットワーク一般について適用可能であることはいうまでもない。
さらに、上記第２の実施例では、データベース１４１、１４３に格納された設備の状態情報Ｉ−ａｐと回線の状態情報Ｉ−ｃｂとの両方の情報に基づいてシステム停止の有無を判定するようにしているがこれに限られるものではなく、これら情報Ｉ−ａｐ、Ｉ−ｃｂのうち少なくともいずれか一方に基づいてシステム停止の有無を判定するようにしてもよい。
【産業上の利用可能性】
【０１０８】
上記実施例では、通信ネットワーク機器の閉塞作業や作業管理について述べているが、これに限られるものではなく、一般のネットワーク機器の閉塞作業や作業管理についても適用できる。
【符号の説明】
【０１０９】
１０（１０Ｘ、１０Ｙ）  端末装置
１０Ｘ  作業担当端末装置
２２、２３、１４１、１４３  データベース
１１１  サーバ（センターサーバ）
１１２  通信設備
ＰＬ  作業計画
ＰＬｆ  最終的な作業計画
Ｓ−ｐｒ  作業開始の通知
Ｉ−ａｐ、Ｉ−ｃｂ  通信設備の運用状態の情報
ＳＤ−ｙ  システム停止判定結果
【図１】
0005568914.tif 000002
【図２】
0005568914.tif 000003
【図３】
0005568914.tif 000004
【図４】
0005568914.tif 000005
【図５】
0005568914.tif 000006
【図６】
0005568914.tif 000007
【図７】
0005568914.tif 000008
【図８】
0005568914.tif 000009
【図９】
0005568914.tif 000010
【図１０】
0005568914.tif 000011
【図１１】
0005568914.tif 000012
【図１２】
0005568914.tif 000013
【図１３】
0005568914.tif 000014